(57)【特許請求の範囲】
【請求項１】
一次巻線と前記一次巻線と磁気結合される二次巻線とを含むトランスと、
直流電源からの直流電圧を交流電圧に変換し、変換した交流電圧を前記一次巻線に供給するインバータ回路と、
商用電力系統又は負荷の少なくとも一方と電気的に接続可能な第１端と第２端とを含む接続部と、
前記接続部の第１端と前記二次巻線の第１端との間に挿入される第１スイッチング素子と、
前記接続部の第２端と前記二次巻線の第１端との間に挿入される第２スイッチング素子と、
前記接続部の第１端と前記二次巻線の第２端との間に挿入される第３スイッチング素子と、
前記接続部の第２端と前記二次巻線の第２端との間に挿入される第４スイッチング素子と、
前記接続部の第１端と前記二次巻線の第１端との間に、前記第１スイッチング素子と並列に挿入され、電流を流す方向が前記第１スイッチング素子と逆方向である第５スイッチング素子と、
前記接続部の第２端と前記二次巻線の第１端との間に、前記第２スイッチング素子と並列に挿入され、電流を流す方向が前記第２スイッチング素子と逆方向である第６スイッチング素子と、
前記接続部の第１端と前記二次巻線の第２端との間に、前記第３スイッチング素子と並列に挿入され、電流を流す方向が前記第３スイッチング素子と逆方向である第７スイッチング素子と、
前記接続部の第２端と前記二次巻線の第２端との間に、前記第４スイッチング素子と並列に挿入され、電流を流す方向が前記第４スイッチング素子と逆方向である第８スイッチング素子と、
前記接続部から出力される出力電流が正である期間において、前記第１スイッチング素子、前記第２スイッチング素子、前記第３スイッチング素子及び前記第４スイッチング素子を制御することによって、前記接続部から出力される出力電圧または前記出力電流の少なくとも一方の振幅を制御し、前記出力電流が負である期間において、前記第１スイッチング素子に替えて前記第６スイッチング素子を制御し、前記第２スイッチング素子に替えて前記第５スイッチング素子を制御し、前記第３スイッチング素子に替えて前記第８スイッチング素子を制御し、前記第４スイッチング素子に替えて前記第７スイッチング素子を制御することによって、前記出力電圧または前記出力電流の少なくとも一方の振幅を制御する制御部とを備え、
前記制御部は、
前記第１スイッチング素子と前記第４スイッチング素子との内の少なくとも一方を、前記二次巻線の電圧が正である第１期間における第１オン時点において、オフからオンに切り替え、
前記第２スイッチング素子と前記第３スイッチング素子との内の少なくとも一方を、前記第１期間に続く前記二次巻線の電圧が負である第２期間における第２オン時点において、オフからオンに切り替え、
前記第１オン時点または前記第２オン時点の内の少なくともいずれか一方をシフトさせることにより、前記出力電圧または前記出力電流の少なくとも一方の振幅を制御し、
前記第１スイッチング素子と前記第４スイッチング素子との内で前記第１オン時点にてオフからオンに切り替えないスイッチング素子を、前記第１期間および前記第２期間に渡って、オン状態とし、
前記第２スイッチング素子と前記第３スイッチング素子との内で前記第２オン時点にてオフからオンに切り替えないスイッチング素子を、前記第１期間および前記第２期間に渡って、オン状態とし、
前記二次巻線の電圧が正とは、前記第１端が前記第２端より電位が高くなることであり、
前記二次巻線の電圧が負とは、前記第１端が前記第２端より電位が低くなることであり、
前記出力電流が正とは、前記第１端から前記商用電力又は前記負荷を介して前記第２端に前記出力電流が流れることを指し、
前記出力電流が負とは、前記第２端から前記商用電力又は前記負荷を介して前記第１端に前記出力電流が流れることを指す、
電力変換装置。
【請求項２】
前記制御部は、
前記第１スイッチング素子と前記第４スイッチング素子との内で前記第１オン時点にてオフからオンに切り替えたスイッチング素子を、前記第２期間の第１オフ時点において、オンからオフに切り替え、
前記第２スイッチング素子と前記第３スイッチング素子との内で前記第２オン時点にてオフからオンに切り替えたスイッチング素子を、前記第２期間に続く前記二次巻線の電圧が正である第３期間における第２オフ時点において、オンからオフに切り替える、
請求項１に記載の電力変換装置。
【請求項３】
一次巻線と前記一次巻線と磁気結合される二次巻線とを含むトランスと、
直流電源からの直流電圧を交流電圧に変換し、変換した交流電圧を前記一次巻線に供給するインバータ回路と、
商用電力系統又は負荷の少なくとも一方と電気的に接続可能な第１端と第２端とを含む接続部と、
前記接続部の第１端と前記二次巻線の第１端との間に挿入される第１スイッチング素子と、
前記接続部の第２端と前記二次巻線の第１端との間に挿入される第２スイッチング素子と、
前記接続部の第１端と前記二次巻線の第２端との間に挿入される第３スイッチング素子と、
前記接続部の第２端と前記二次巻線の第２端との間に挿入される第４スイッチング素子と、
前記接続部の第１端と前記二次巻線の第１端との間に、前記第１スイッチング素子と並列に挿入され、電流を流す方向が前記第１スイッチング素子と逆方向である第５スイッチング素子と、
前記接続部の第２端と前記二次巻線の第１端との間に、前記第２スイッチング素子と並列に挿入され、電流を流す方向が前記第２スイッチング素子と逆方向である第６スイッチング素子と、
前記接続部の第１端と前記二次巻線の第２端との間に、前記第３スイッチング素子と並列に挿入され、電流を流す方向が前記第３スイッチング素子と逆方向である第７スイッチング素子と、
前記接続部の第２端と前記二次巻線の第２端との間に、前記第４スイッチング素子と並列に挿入され、電流を流す方向が前記第４スイッチング素子と逆方向である第８スイッチング素子と、
前記接続部から出力される出力電流が正である期間において、前記第１スイッチング素子、前記第２スイッチング素子、前記第３スイッチング素子及び前記第４スイッチング素子を制御することによって、前記接続部から出力される出力電圧または前記出力電流の少なくとも一方の振幅を制御し、前記出力電流が負である期間において、前記第１スイッチング素子に替えて前記第６スイッチング素子を制御し、前記第２スイッチング素子に替えて前記第５スイッチング素子を制御し、前記第３スイッチング素子に替えて前記第８スイッチング素子を制御し、前記第４スイッチング素子に替えて前記第７スイッチング素子を制御することによって、前記出力電圧または前記出力電流の少なくとも一方の振幅を制御する制御部とを備え、
前記制御部は、
前記第１スイッチング素子と前記第４スイッチング素子との内の少なくとも一方を、前記二次巻線の電圧が正である第１期間における第１オン時点において、オフからオンに切り替え、
前記第２スイッチング素子と前記第３スイッチング素子との内の少なくとも一方を、前記第１期間に続く前記二次巻線の電圧が負である第２期間における第２オン時点において、オフからオンに切り替え、
前記第１オン時点または前記第２オン時点の内の少なくともいずれか一方をシフトさせることにより、前記出力電圧または前記出力電流の少なくとも一方の振幅を制御し、
前記第１スイッチング素子と前記第４スイッチング素子との内のいずれか一方を、前記第１オン時点と異なる予め定められた第３オン時点において、オフからオンに切り替え、
前記第１スイッチング素子と前記第４スイッチング素子との内のもう一方を、前記第１期間で、かつ、前記第３オン時点よりも前の第４オン時点において、オフからオンに切り替え、
前記第２スイッチング素子と前記第３スイッチング素子との内のいずれか一方を、前記第２オン時点と異なる予め定められた第５オン時点において、オフからオンに切り替え、
前記第２スイッチング素子と前記第３スイッチング素子との内のもう一方を、前記第２期間で、かつ、前記第５オン時点よりも前の第６オン時点において、オフからオンに切り替え、
前記第４オン時点または前記第６オン時点の少なくともいずれか一方をシフトさせることにより、前記出力電圧または前記出力電流の少なくとも一方の振幅を制御し、
前記二次巻線の電圧が正とは、前記第１端が前記第２端より電位が高くなることであり、
前記二次巻線の電圧が負とは、前記第１端が前記第２端より電位が低くなることであり、
前記出力電流が正とは、前記第１端から前記商用電力又は前記負荷を介して前記第２端に前記出力電流が流れることを指し、
前記出力電流が負とは、前記第２端から前記商用電力又は前記負荷を介して前記第１端に前記出力電流が流れることを指す、
電力変換装置。
【請求項４】
前記制御部は、前記第１期間において、前記第３オン時点を設定し、前記第２期間において、前記第５オン時点を設定する、
請求項３に記載の電力変換装置。
【請求項５】
前記第１スイッチング素子と前記第４スイッチング素子との内で前記第３オン時点にてオフからオンに切り替えたスイッチング素子を、前記第２期間で、かつ、前記第５オン時点よりも後の第３オフ時点において、オンからオフに切り替え、
前記第１スイッチング素子と前記第４スイッチング素子との内で前記第４オン時点にてオフからオンに切り替えたスイッチング素子を、前記第３オフ時点よりも後の第４オフ時点において、オンからオフに切り替え、
前記第２スイッチング素子と前記第３スイッチング素子との内で前記第５オン時点にてオフからオンに切り替えたスイッチング素子を、前記第２期間に続く前記二次巻線の電圧が正である第３期間における第５オフ時点において、オンからオフに切り替え、
前記第２スイッチング素子と前記第３スイッチング素子との内で前記第６オン時点にてオフからオンに切り替えたスイッチング素子を、前記第３期間における第６オフ時点において、オンからオフに切り替える、
請求項３記載の電力変換装置。
【請求項６】
一次巻線と前記一次巻線と磁気結合される二次巻線とを含むトランスと、
直流電源からの直流電圧を交流電圧に変換し、変換した交流電圧を前記一次巻線に供給するインバータ回路と、
商用電力系統又は負荷の少なくとも一方と電気的に接続可能な第１端と第２端とを含む接続部と、
前記接続部の第１端と前記二次巻線の第１端との間に挿入される第１スイッチング素子と、
前記接続部の第２端と前記二次巻線の第１端との間に挿入される第２スイッチング素子と、
前記接続部の第１端と前記二次巻線の第２端との間に挿入される第３スイッチング素子と、
前記接続部の第２端と前記二次巻線の第２端との間に挿入される第４スイッチング素子と、
前記接続部の第１端と前記二次巻線の第１端との間に、前記第１スイッチング素子と並列に挿入され、電流を流す方向が前記第１スイッチング素子と逆方向である第５スイッチング素子と、
前記接続部の第２端と前記二次巻線の第１端との間に、前記第２スイッチング素子と並列に挿入され、電流を流す方向が前記第２スイッチング素子と逆方向である第６スイッチング素子と、
前記接続部の第１端と前記二次巻線の第２端との間に、前記第３スイッチング素子と並列に挿入され、電流を流す方向が前記第３スイッチング素子と逆方向である第７スイッチング素子と、
前記接続部の第２端と前記二次巻線の第２端との間に、前記第４スイッチング素子と並列に挿入され、電流を流す方向が前記第４スイッチング素子と逆方向である第８スイッチング素子と、
前記接続部から出力される出力電流が正である期間において、前記第１スイッチング素子、前記第２スイッチング素子、前記第３スイッチング素子及び前記第４スイッチング素子を制御することによって、前記接続部から出力される出力電圧または前記出力電流の少なくとも一方の振幅を制御し、前記出力電流が負である期間において、前記第１スイッチング素子に替えて前記第６スイッチング素子を制御し、前記第２スイッチング素子に替えて前記第５スイッチング素子を制御し、前記第３スイッチング素子に替えて前記第８スイッチング素子を制御し、前記第４スイッチング素子に替えて前記第７スイッチング素子を制御することによって、前記出力電圧または前記出力電流の少なくとも一方の振幅を制御する制御部とを備え、
前記制御部は、
前記第１スイッチング素子と前記第４スイッチング素子との内の少なくとも一方を、前記二次巻線の電圧が正である第１期間における第１オン時点において、オフからオンに切り替え、
前記第２スイッチング素子と前記第３スイッチング素子との内の少なくとも一方を、前記第１期間に続く前記二次巻線の電圧が負である第２期間における第２オン時点において、オフからオンに切り替え、
前記第１オン時点または前記第２オン時点の内の少なくともいずれか一方をシフトさせることにより、前記出力電圧または前記出力電流の少なくとも一方の振幅を制御し、
前記第１スイッチング素子と前記第４スイッチング素子との内のいずれか一方を、前記第１オン時点と異なる予め定められた第３オン時点において、オフからオンに切り替え、
前記第３オン時点後、前記第２期間における第３オフ時点において、オンからオフに切り替え、
前記第２スイッチング素子と前記第３スイッチング素子との内のいずれか一方を、前記第２オン時点と異なる予め定められた第５オン時点において、オフからオンに切り替え、前記第５オン時点より前の前記第１期間における第５オフ時点において、オンからオフに切り替え、
前記第２スイッチング素子と前記第３スイッチング素子との内のもう一方を、前記第２期間で、かつ、前記第３オフ時点よりも前である第６オン時点において、オフからオンに切り替え、
前記第１スイッチング素子と前記第４スイッチング素子との内のもう一方を、前記第１期間で、かつ、前記第５オフ時点よりも前である第４オン時点において、オフからオンに切り替え、
前記第４オン時点または前記第６オン時点の少なくともいずれか一方をシフトさせることにより、前記出力電圧または前記出力電流の少なくとも一方の振幅を制御し、
前記二次巻線の電圧が正とは、前記第１端が前記第２端より電位が高くなることであり、
前記二次巻線の電圧が負とは、前記第１端が前記第２端より電位が低くなることであり、
前記出力電流が正とは、前記第１端から前記商用電力又は前記負荷を介して前記第２端に前記出力電流が流れることを指し、
前記出力電流が負とは、前記第２端から前記商用電力又は前記負荷を介して前記第１端に前記出力電流が流れることを指す、
電力変換装置。
【請求項７】
前記第１スイッチング素子と前記第４スイッチング素子との内で、前記第４オン時点にてオフからオンに切り替えたスイッチング素子を、前記第５オン時点よりも後である第４オフ時点において、オンからオフに切り替え、
前記第２スイッチング素子と前記第３スイッチング素子との内で、前記第６オン時点にてオフからオンに切り替えたスイッチング素子を、前記第６オン時点よりも前で、かつ、前記第３オン時点よりも後である第６オフ時点において、オンからオフに切り替える、
請求項６に記載の電力変換装置。
【請求項８】
前記第１スイッチング素子、前記第２スイッチング素子、前記第３スイッチング素子及び前記第４スイッチング素子を含む正群コンバータと、
前記第５スイッチング素子、前記第６スイッチング素子、前記第７スイッチング素子及び前記第８スイッチング素子を含む負群コンバータと、
を備え、
前記制御部は、
前記出力電流の極性が切り替わるタイミングを、前記直流電源から前記商用電力系統又は前記負荷に電力を供給していない期間に設定し、前記正群コンバータ及び前記負群コンバータに対して、前記電力変換装置の二次側で短絡が発生しない予め定められた制御をする、
請求項１に記載の電力変換装置。
【請求項９】
前記制御部は、前記予め定められた制御として、
前記第１スイッチング素子と前記第２スイッチング素子と前記第５スイッチング素子と前記第６スイッチング素子とを、オフ状態とする、
請求項８に記載の電力変換装置。
【請求項１０】
前記制御部は、
前記出力電流が正の期間、前記出力電流が負の期間、及び、前記出力電流の極性が切り替わる期間において、前記第１〜第８スイッチング素子の少なくとも１つをオン状態とする、
請求項８又は９に記載の電力変換装置。
【請求項１１】
前記接続部と前記正群コンバータ及び前記負群コンバータとの間に挿入される交流用リアクトルを備え、
前記制御部は、前記予め定められた制御として、
前記二次巻線の電圧が負である第４期間において、前記第１スイッチング素子、前記第４スイッチング素子、前記第６スイッチング素子及び前記第７スイッチング素子をオンし、かつ、前記第２スイッチング素子、前記第３スイッチング素子、前記第５スイッチング素子及び前記第８スイッチング素子をオフした状態にし、
前記第３スイッチング素子及び前記第８スイッチング素子を、前記第４期間における第７オン時点において、オフからオンに切り替えることにより、前記交流用リアクトルを充電することを開始し、
前記第１スイッチング素子及び前記第６スイッチング素子を、前記第７オン時点より後で、かつ、前記第４期間に続く前記二次巻線の電圧が正である第５期間に切り替わる前における第７オフ時点において、オンからオフに切り替え、
前記第２スイッチング素子及び前記第５スイッチング素子を、前記第５期間における第８オン時点において、オフからオンに切り替え、
前記第４スイッチング素子及び前記第７スイッチング素子を、前記第８オン時点より後で、かつ、前記第５期間における第８オフ時点において、オンからオフに切り替えることにより、前記交流用リアクトルに蓄積されたエネルギーを放出させる、
請求項８に記載の電力変換装置。
【請求項１２】
前記制御部は、
前記出力電圧と前記出力電流との極性が同じとき、前記直流電源から前記商用電力系統又は前記負荷に電力を供給する電力供給モードを実行し、前記出力電圧と前記出力電流との極性が異なるとき、前記商用電力系統又は前記負荷から前記直流電源に電力を回生する電力回生モードを実行する、
請求項１〜１１のいずれかに記載の電力変換装置。
【請求項１３】
前記インバータ回路に接続され、前記電力供給モードにおいて昇圧動作をし、前記電力回生モードにおいて降圧動作をするチョッパ回路を備え、
前記制御部は、前記チョッパ回路と前記第１〜第８スイッチング素子とを制御することにより、前記出力電圧または前記出力電流の少なくとも一方の振幅を制御する、
請求項１２に記載の電力変換装置。
【請求項１４】
第１ダイオード、第２ダイオード、第３ダイオード及び第４ダイオードを備え、
前記第１ダイオードと前記第１スイッチング素子とが直列接続され、かつ、前記第３ダイオードと前記第３スイッチング素子とが直列接続されることで、前記制御部が、前記第１スイッチング素子及び前記第３スイッチング素子の一方を通る経路から他方を通る経路に転流する制御をするときに、前記第１ダイオード及び前記第３ダイオードの一方が逆バイアス状態となり、かつ、他方が順バイアス状態となり、
前記第２ダイオードと前記第２スイッチング素子とが直列接続され、かつ、前記第４ダイオードと前記第４スイッチング素子とが直列接続されることで、前記制御部が、前記第２スイッチング素子及び前記第４スイッチング素子の一方を通る経路から他方を通る経路に転流する制御をするときに、前記第２ダイオード及び前記第４ダイオードの一方が逆バイアス状態となり、かつ、他方が順バイアス状態となる、
請求項１〜１３のいずれかに記載の電力変換装置。
【請求項１５】
一次巻線と前記一次巻線と磁気結合される二次巻線とを含むトランスと、
直流電源からの直流電圧を交流電圧に変換し、変換した交流電圧を前記一次巻線に供給するインバータ回路と、
商用電力系統又は負荷の少なくとも一方と電気的に接続可能な第１端と第２端とを含む接続部と、
前記接続部の第１端と前記二次巻線の第１端との間に挿入される第１スイッチング素子と、
前記接続部の第２端と前記二次巻線の第１端との間に挿入される第２スイッチング素子と、
前記接続部の第１端と前記二次巻線の第２端との間に挿入される第３スイッチング素子と、
前記接続部の第２端と前記二次巻線の第２端との間に挿入される第４スイッチング素子と、
前記接続部の第１端と前記二次巻線の第１端との間に、前記第１スイッチング素子と並列に挿入され、電流を流す方向が前記第１スイッチング素子と逆方向である第５スイッチング素子と、
前記接続部の第２端と前記二次巻線の第１端との間に、前記第２スイッチング素子と並列に挿入され、電流を流す方向が前記第２スイッチング素子と逆方向である第６スイッチング素子と、
前記接続部の第１端と前記二次巻線の第２端との間に、前記第３スイッチング素子と並列に挿入され、電流を流す方向が前記第３スイッチング素子と逆方向である第７スイッチング素子と、
前記接続部の第２端と前記二次巻線の第２端との間に、前記第４スイッチング素子と並列に挿入され、電流を流す方向が前記第４スイッチング素子と逆方向である第８スイッチング素子と、
前記接続部から出力される出力電流が正である期間において、前記第１スイッチング素子、前記第２スイッチング素子、前記第３スイッチング素子及び前記第４スイッチング素子を制御することによって、前記接続部から出力される出力電圧または前記出力電流の少なくとも一方の振幅を制御し、前記出力電流が負である期間において、前記第１スイッチング素子に替えて前記第６スイッチング素子を制御し、前記第２スイッチング素子に替えて前記第５スイッチング素子を制御し、前記第３スイッチング素子に替えて前記第８スイッチング素子を制御し、前記第４スイッチング素子に替えて前記第７スイッチング素子を制御することによって、前記出力電圧または前記出力電流の少なくとも一方の振幅を制御する制御部とを備え、
前記制御部は、
前記第１スイッチング素子を、前記二次巻線の電圧が正である第１期間におけるオン時点ＴｏｎＡにおいて、オフからオンに切り替え、
前記第３スイッチング素子を、前記第１期間に続く前記二次巻線の電圧が負である第２期間におけるオン時点ＴｏｎＢにおいて、オフからオンに切り替え、
前記オン時点ＴｏｎＡまたは前記オン時点ＴｏｎＢの内の少なくともいずれか一方をシフトさせることにより、前記出力電圧または前記出力電流の少なくとも一方の振幅を制御し、
前記第１スイッチング素子を、前記第２期間に続く前記二次巻線の電圧が正である第３期間におけるオン時点ＴｏｎＣにおいて、オフからオンに切り替え、
前記第２期間において前記オン時点ＴｏｎＡと前記オン時点ＴｏｎＢとの間、もしくは、前記第３期間において前記オン時点ＴｏｎＢと前記オン時点ＴｏｎＣとの間の内の少なくともいずれか一方において、前記第１スイッチング素子と前記第２スイッチング素子との両方がオン状態である第１循環期間を生成し、
前記二次巻線の電圧が正とは、前記第１端が前記第２端より電位が高くなることであり、
前記二次巻線の電圧が負とは、前記第１端が前記第２端より電位が低くなることであり、
前記出力電流が正とは、前記第１端から前記商用電力又は前記負荷を介して前記第２端に前記出力電流が流れることを指し、
前記出力電流が負とは、前記第２端から前記商用電力又は前記負荷を介して前記第１端に前記出力電流が流れることを指す、
電力変換装置。
【請求項１６】
前記制御部は、前記オン時点ＴｏｎＡと前記オン時点ＴｏｎＣとの間で、前記第１循環期間と、前記第３スイッチング素子と前記第４スイッチング素子との両方がオン状態である第２循環期間と、の両方を生成する、
請求項１５に記載の電力変換装置。
【請求項１７】
前記制御部は、
前記第３スイッチング素子を、前記第３期間に続く前記二次巻線の電圧が負である第４期間におけるオン時点ＴｏｎＤにおいて、オフからオンに切り替え、
前記オン時点ＴｏｎＡと前記オン時点ＴｏｎＢとの間、および、前記オン時点ＴｏｎＣと前記オン時点ＴｏｎＤとの間で、前記第１循環期間と前記第２循環期間との内の一方を生成し、
前記オン時点ＴｏｎＢと前記オン時点ＴｏｎＣとの間で、前記第１循環期間と前記第２循環期間との内のもう一方を生成する、
請求項１６に記載の電力変換装置。
【請求項１８】
前記第２スイッチング素子と前記第４スイッチング素子との内の少なくとも一方と直列接続されるコンデンサを備える、
請求項１〜１７のいずれかに記載の電力変換装置。
【請求項１９】
前記第５スイッチング素子と前記第７スイッチング素子との内の少なくとも一方と直列接続されるコンデンサを備える、
請求項１〜１８のいずれかに記載の電力変換装置。
【請求項２０】
前記二次巻線の第１端と第２端とに接続されるコンデンサを備える、
請求項１〜１９のいずれかに記載の電力変換装置。
【請求項２１】
一次巻線と前記一次巻線と磁気結合される二次巻線とを含むトランスと、
直流電源からの直流電圧を交流電圧に変換し、変換した交流電圧を前記一次巻線に供給するインバータ回路と、
商用電力系統又は負荷の少なくとも一方と電気的に接続可能な第１端と第２端とを含む接続部と、
前記接続部の第１端と前記二次巻線の第１端との間に挿入される第１スイッチング素子と、
前記接続部の第２端と前記二次巻線の第１端との間に挿入される第２スイッチング素子と、
前記接続部の第１端と前記二次巻線の第２端との間に挿入される第３スイッチング素子と、
前記接続部の第２端と前記二次巻線の第２端との間に挿入される第４スイッチング素子と、
前記接続部の第１端と前記二次巻線の第１端との間に、前記第１スイッチング素子と並列に挿入され、電流を流す方向が前記第１スイッチング素子と逆方向である第５スイッチング素子と、
前記接続部の第２端と前記二次巻線の第１端との間に、前記第２スイッチング素子と並列に挿入され、電流を流す方向が前記第２スイッチング素子と逆方向である第６スイッチング素子と、
前記接続部の第１端と前記二次巻線の第２端との間に、前記第３スイッチング素子と並列に挿入され、電流を流す方向が前記第３スイッチング素子と逆方向である第７スイッチング素子と、
前記接続部の第２端と前記二次巻線の第２端との間に、前記第４スイッチング素子と並列に挿入され、電流を流す方向が前記第４スイッチング素子と逆方向である第８スイッチング素子と、
前記接続部の第１端と前記接続部の第２端との間に挿入されるスイッチング素子Ｓａを備え、
前記接続部の第１端と前記接続部の第２端との間に挿入され、電流を流す方向が前記スイッチング素子Ｓａと逆方向であるスイッチング素子Ｓｂと、
前記接続部から出力される出力電流が正である期間において、前記第１スイッチング素子、前記第２スイッチング素子、前記第３スイッチング素子及び前記第４スイッチング素子を制御することによって、前記接続部から出力される出力電圧または前記出力電流の少なくとも一方の振幅を制御し、前記出力電流が負である期間において、前記第１スイッチング素子に替えて前記第６スイッチング素子を制御し、前記第２スイッチング素子に替えて前記第５スイッチング素子を制御し、前記第３スイッチング素子に替えて前記第８スイッチング素子を制御し、前記第４スイッチング素子に替えて前記第７スイッチング素子を制御することによって、前記出力電圧または前記出力電流の少なくとも一方の振幅を制御し、前記出力電流が負である期間における循環期間Ｔｘにおいては、前記スイッチング素子Ｓａに替えて前記スイッチング素子Ｓｂをオン状態とする制御部とを備え、
前記制御部は、
前記第１スイッチング素子と前記第４スイッチング素子との内の少なくとも一方を、前記二次巻線の電圧が正である第１期間におけるオン時点ＴｏｎＡにおいて、オフからオンに切り替え、
前記第２スイッチング素子と前記第３スイッチング素子との内の少なくとも一方を、前記第１期間に続く前記二次巻線の電圧が負である第２期間におけるオン時点ＴｏｎＢにおいて、オフからオンに切り替え、
前記オン時点ＴｏｎＡまたは前記オン時点ＴｏｎＢの内の少なくともいずれか一方をシフトさせることにより、前記出力電圧または前記出力電流の少なくとも一方の振幅を制御し、
前記第１スイッチング素子と前記第４スイッチング素子との内で前記オン時点ＴｏｎＡにてオフからオンに切り替えられたスイッチング素子を、前記第２期間に続く前記二次巻線の電圧が正である第３期間におけるオン時点ＴｏｎＣにおいて、オフからオンに切り替え、
前記オン時点ＴｏｎＡと前記オン時点ＴｏｎＢとの間、もしくは、前記オン時点ＴｏｎＢと前記オン時点ＴｏｎＣとの間の内の少なくともいずれか一方において、前記スイッチング素子Ｓａがオン状態である前記循環期間Ｔｘを生成し、
前記二次巻線の電圧が正とは、前記第１端が前記第２端より電位が高くなることであり、
前記二次巻線の電圧が負とは、前記第１端が前記第２端より電位が低くなることであり、
前記出力電流が正とは、前記第１端から前記商用電力又は前記負荷を介して前記第２端に前記出力電流が流れることを指し、
前記出力電流が負とは、前記第２端から前記商用電力又は前記負荷を介して前記第１端に前記出力電流が流れることを指す、
電力変換装置。
【請求項２２】
前記制御部は、前記オン時点ＴｏｎＡと前記オン時点ＴｏｎＢとの間、および、前記オン時点ＴｏｎＢと前記オン時点ＴｏｎＣとの間の両方において、前記循環期間Ｔｘを生成する、
請求項２１に記載の電力変換装置。
【請求項２３】
前記制御部は、前記循環期間Ｔｘにおいて、前記スイッチング素子Ｓａがオン状態である期間では、前記第１スイッチング素子と前記第２スイッチング素子と前記第３スイッチング素子と前記第４スイッチング素子とを、オフ状態とする、
請求項２１または２２のいずれかに記載の電力変換装置。
【請求項２４】
前記制御部は、前記循環期間Ｔｘにおいて、前記第３スイッチング素子に与える制御信号と前記第４スイッチング素子に与える制御信号との積集合である制御信号を、前記スイッチング素子Ｓａに与える、
請求項２３に記載の電力変換装置。
【請求項２５】
前記接続部の第１端と前記スイッチング素子Ｓａの第１端との間に挿入されるリアクトルを備える、
請求項２１〜２４のいずれかに記載の電力変換装置。
【請求項２６】
前記制御部は、前記循環期間Ｔｘにおいて、前記スイッチング素子Ｓｂがオン状態である期間では、前記第５スイッチング素子と前記第６スイッチング素子と前記第７スイッチング素子と前記第８スイッチング素子とを、オフ状態とする、
請求項２１に記載の電力変換装置。
【請求項２７】
前記制御部は、前記循環期間Ｔｘにおいて、前記第７スイッチング素子に与える制御信号と前記第８スイッチング素子に与える制御信号との積集合である制御信号を、前記スイッチング素子Ｓｂに与える、
請求項２６に記載の電力変換装置。
【請求項２８】
前記接続部の第１端と前記スイッチング素子Ｓａの第１端との間で、かつ、前記接続部の第１端と前記スイッチング素子Ｓｂの第１端との間に挿入されるリアクトルを備える、
請求項２１、２６、２７のいずれかに記載の電力変換装置。
【請求項２９】
一次巻線と前記一次巻線と磁気結合される二次巻線とを含むトランスと、
直流電源からの直流電圧を交流電圧に変換し、変換した交流電圧を前記一次巻線に供給するインバータ回路と、
商用電力系統又は負荷の少なくとも一方と電気的に接続可能な第１端と第２端とを含む接続部と、
前記接続部の第１端と前記二次巻線の第１端との間に挿入される第１スイッチング素子と、
前記接続部の第２端と前記二次巻線の第１端との間に挿入される第２スイッチング素子と、
前記接続部の第１端と前記二次巻線の第２端との間に挿入される第３スイッチング素子と、
前記接続部の第２端と前記二次巻線の第２端との間に挿入される第４スイッチング素子と、
前記接続部の第１端と前記二次巻線の第１端との間に、前記第１スイッチング素子と並列に挿入され、電流を流す方向が前記第１スイッチング素子と逆方向である第５スイッチング素子と、
前記接続部の第２端と前記二次巻線の第１端との間に、前記第２スイッチング素子と並列に挿入され、電流を流す方向が前記第２スイッチング素子と逆方向である第６スイッチング素子と、
前記接続部の第１端と前記二次巻線の第２端との間に、前記第３スイッチング素子と並列に挿入され、電流を流す方向が前記第３スイッチング素子と逆方向である第７スイッチング素子と、
前記接続部の第２端と前記二次巻線の第２端との間に、前記第４スイッチング素子と並列に挿入され、電流を流す方向が前記第４スイッチング素子と逆方向である第８スイッチング素子と、
前記接続部から出力される出力電流が正である期間において、前記第１スイッチング素子、前記第２スイッチング素子、前記第３スイッチング素子及び前記第４スイッチング素子を制御することによって、前記接続部から出力される出力電圧または前記出力電流の少なくとも一方の振幅を制御し、前記出力電流が負である期間において、前記第１スイッチング素子に替えて前記第６スイッチング素子を制御し、前記第２スイッチング素子に替えて前記第５スイッチング素子を制御し、前記第３スイッチング素子に替えて前記第８スイッチング素子を制御し、前記第４スイッチング素子に替えて前記第７スイッチング素子を制御することによって、前記出力電圧または前記出力電流の少なくとも一方の振幅を制御する制御部とを備え、
前記制御部は、
前記第１スイッチング素子と前記第４スイッチング素子との内の少なくとも一方を、前記出力電流が正であり、前記二次巻線の電圧が正である第１期間における第１オン時点において、オフからオンに切り替え、
前記第２スイッチング素子と前記第３スイッチング素子との内の少なくとも一方を、前記出力電流が正であり、前記第１期間に続く前記二次巻線の電圧が負である第２期間における第２オン時点において、オフからオンに切り替え、
前記第１オン時点または前記第２オン時点の内の少なくともいずれか一方をシフトさせることにより、前記出力電圧または前記出力電流の少なくとも一方の振幅を制御し、
前記第１期間において、前記第５スイッチング素子と前記第８スイッチング素子との両方がオン状態である期間を生成し、
前記第２期間において、前記第６スイッチング素子と前記第７スイッチング素子との両方がオン状態である期間を生成し、
前記二次巻線の電圧が正とは、前記第１端が前記第２端より電位が高くなることであり、
前記二次巻線の電圧が負とは、前記第１端が前記第２端より電位が低くなることであり、
前記出力電流が正とは、前記第１端から前記商用電力又は前記負荷を介して前記第２端に前記出力電流が流れることを指し、
前記出力電流が負とは、前記第２端から前記商用電力又は前記負荷を介して前記第１端に前記出力電流が流れることを指す、
電力変換装置。
【発明の詳細な説明】
【技術分野】
【０００１】
本開示は、直流電力を交流電力に変換する電力変換装置に関する。
【背景技術】
【０００２】
近年、会社または個人が、分散型電源（例えば、太陽電池、燃料電池、蓄電池）の電力を、電力会社に売るビジネス（売電）が拡大している。売電は、分散型電源を商用電力系統と接続する系統連系によって実行することができる。系統連系では、パワーコンディショナーと称される電力変換装置を用いて、分散型電源の電力を、商用電力系統に適応した電力に変換する。
【０００３】
分散型電源が直流電源の場合、直流電力を交流電力に変換する電力変換装置が、系統連系で利用される。このような電力変換装置として、例えば、高周波トランスと、直流電力を高周波電力に変換する前記高周波トランスの１次側に配置された第１インバータと、前記高周波電力を商用電力に変換する前記高周波トランスの２次側に配置された限流リアクトルと、複数のスイッチング素子がフルブリッジ構成された第２インバータとを有し、前記第２インバータのスイッチング素子を双方向スイッチで構成し、前記第２インバータの双方向スイッチを系統電圧の極性に応じてオンオフして前記高周波トランスの電力を交流に変換する系統連系インバータ装置が提案されている（例えば、特許文献１を参照）。
【先行技術文献】
【特許文献】
【０００４】
【特許文献１】特許第４１００１２５号公報
【発明の概要】
【発明が解決しようとする課題】
【０００５】
従来技術においては、電力のロスの低減が望まれる。
【課題を解決するための手段】
【０００６】
本開示の一態様である電力変換装置は、一次巻線と前記一次巻線と磁気結合される二次巻線とを含むトランスと、直流電源からの直流電圧を交流電圧に変換し、変換した交流電圧を前記一次巻線に供給するインバータ回路と、商用電力系統又は負荷の少なくとも一方と電気的に接続可能な第１端と第２端とを含む接続部と、前記接続部の第１端と前記二次巻線の第１端との間に挿入される第１スイッチング素子と、前記接続部の第２端と前記二次巻線の第１端との間に挿入される第２スイッチング素子と、前記接続部の第１端と前記二次巻線の第２端との間に挿入される第３スイッチング素子と、前記接続部の第２端と前記二次巻線の第２端との間に挿入される第４スイッチング素子と、前記接続部から出力される出力電圧または出力電流の少なくとも一方の振幅を制御する制御部と、を備え、前記制御部は、前記第１スイッチング素子と前記第４スイッチング素子との内の少なくとも一方を、前記二次巻線の電圧が正である第１期間における第１オン時点において、オフからオンに切り替え、前記第２スイッチング素子と前記第３スイッチング素子との内の少なくとも一方を、前記第１期間に続く前記二次巻線の電圧が負である第２期間における第２オン時点において、オフからオンに切り替え、前記第１オン時点または前記第２オン時点の内の少なくともいずれか一方をシフトさせることにより、前記出力電圧または前記出力電流の少なくとも一方の振幅を制御する。
【発明の効果】
【０００７】
本開示によれば、電力のロスを低減することができる。
【図面の簡単な説明】
【０００８】
【図１】本実施形態に係る電力変換装置の回路図である。
【図２】本実施形態に係る電力変換装置の動作の概要を説明する説明図である。
【図３】位相差が０°である出力電圧と出力電流との波形を示す波形図である。
【図４】位相差が１８０°である出力電圧と出力電流との波形を示す波形図である。
【図５】非対称制御をしたとき、図３に示す期間Ｔ１０での電力供給モードのタイムチャートである。
【図６】非対称制御をしたとき、図４に示す期間Ｔ１２での電力回生モードのタイムチャートである。
【図７】本実施形態に係る電力変換装置に備えられるサイクロコンバータの動作を説明する第１説明図である。
【図８】本実施形態に係る電力変換装置に備えられるサイクロコンバータの動作を説明する第２説明図である。
【図９】本実施形態に係る電力変換装置に備えられるサイクロコンバータの動作を説明する第３説明図である。
【図１０】本実施形態に係る電力変換装置に備えられるサイクロコンバータの動作を説明する第４説明図である。
【図１１】本実施形態に係る電力変換装置に備えられるサイクロコンバータの動作を説明する第５説明図である。
【図１２】本実施形態に係る電力変換装置に備えられるサイクロコンバータの動作を説明する第６説明図である。
【図１３】本実施形態に係る電力変換装置に備えられるサイクロコンバータの動作を説明する第７説明図である。
【図１４】本実施形態に係る電力変換装置に備えられるサイクロコンバータの動作を説明する第８説明図である。
【図１５】非対称制御をしたとき、図４に示す期間Ｔ１２での電力回生モードの他の例のタイムチャートである。
【図１６】対称制御をしたとき、図３に示す期間Ｔ１０での電力供給モードのタイムチャートである。
【図１７】対称制御をしたとき、図４に示す期間Ｔ１２での電力回生モードのタイムチャートである。
【図１８】図５に示す期間Ｔ２において、電力変換装置の回路を流れる電流を示す回路図である。
【図１９】図５に示す期間Ｔ９において、電力変換装置の回路を流れる電流を示す回路図である。
【図２０】図３に示す出力電流がゼロクロスする期間Ｔ１１において、図５に示す非対称制御での正群コンバータ及び負群コンバータの動作のタイムチャートである。
【図２１】電力供給期間において、正群コンバータから負群コンバータに切り替える制御がされているときに、電力変換装置の回路を流れる電流を示す回路図である。
【図２２】電力非供給期間において、正群コンバータから負群コンバータに切り替えられる直前の電力変換装置の回路を流れる電流を示す回路図である。
【図２３】電力非供給期間において、正群コンバータから負群コンバータに切り替え中の電力変換装置の回路を流れる電流を示す回路図である。
【図２４】電力非供給期間において、正群コンバータから負群コンバータに切り替えられた直後の電力変換装置の回路を流れる電流を示す回路図である。
【図２５】切り替え制御の他の例において、正群コンバータから負群コンバータに切り替えられるときに、各スイッチング素子に印加される制御信号の波形を示す波形図である。
【図２６】切り替え制御の他の例において、期間Ｔ２１での制御モードのタイムチャートである。
【図２７】図１に示す電力変換装置において、図２６に示す期間（０）のとき、オン状態のスイッチング素子を示す電力変換装置の回路図である。
【図２８】図１に示す電力変換装置において、時点（１）のとき、オン状態のスイッチング素子を示す電力変換装置の回路図である。
【図２９】図１に示す電力変換装置において、時点（２）のとき、オン状態のスイッチング素子を示す電力変換装置の回路図である。
【図３０】図１に示す電力変換装置において、時点（３）のとき、オン状態のスイッチング素子を示す電力変換装置の回路図である。
【図３１】図１に示す電力変換装置において、時点（４）のとき、オン状態のスイッチング素子を示す電力変換装置の回路図である。
【図３２】図１に示す電力変換装置において、期間（５）のとき、オン状態のスイッチング素子を示す電力変換装置の回路図である。
【図３３】図１に示す電力変換装置において、時点（６）のとき、オン状態のスイッチング素子を示す電力変換装置の回路図である。
【図３４】図１に示す電力変換装置において、時点（７）のとき、オン状態のスイッチング素子を示す電力変換装置の回路図である。
【図３５】図１に示す電力変換装置において、時点（８）のとき、オン状態のスイッチング素子を示す電力変換装置の回路図である。
【図３６】図１に示す電力変換装置において、時点（９）のとき、オン状態のスイッチング素子を示す電力変換装置の回路図である。
【図３７】図１に示す電力変換装置において、期間（１０）のとき、オン状態のスイッチング素子を示す電力変換装置の回路図である。
【図３８】図１に示す電力変換装置の第１変形例の回路図である。
【図３９】電力供給モードと電力回生モードとの切り替え制御を説明する説明図である。
【図４０】図１に示す電力変換装置の第２変形例の回路図である。
【図４１】図１に示す電力変換装置の第３変形例の回路図である。
【図４２】出力電圧と出力電流との極性が同じである電力供給モードにおけるタイムチャートである。
【図４３】図４２に示されるＰ１０１〜Ｐ１０４のタイミングにおける電流の流れを示す図である。
【図４４】出力電圧と出力電流との極性が異なる電力回生モードにおけるタイムチャートである。
【図４５】図４４に示されるＰ２０１〜Ｐ２０４のタイミングにおける電流の流れを示す図である。
【図４６】コンデンサを備える場合の構成の一例を示す回路図である。
【図４７】コンデンサＣ６とコンデンサＣ８を備える電力変換装置におけるＰ１０１〜Ｐ１０４のタイミングにおける電流の流れを示す図である。
【図４８】コンデンサを備える場合の構成の一例を示す回路図である。
【図４９】実施の形態３における電力変換装置２０００の概略構成を示す図である。
【図５０】実施の形態３における電力変換装置３０００の概略構成を示す図である。
【図５１】出力電圧と出力電流との極性が同じである電力供給モードにおけるタイムチャートである。
【図５２】循環期間における電流の流れを示す回路図である。
【図５３】実施の形態３における電力変換装置３０００の別の構成の一例を示す図である。
【図５４】図３に示す期間Ｔ１０での電力供給モードの実施の形態４におけるタイムチャートである。
【図５５】図４に示す期間Ｔ１２での電力回生モードの実施の形態４におけるタイムチャートである。
【図５６】実施の形態５における電力変換装置の回路図である。
【図５７】図３に示す期間Ｔ１０での電力供給モードの実施の形態５におけるタイムチャートである。
【図５８】図４に示す期間Ｔ１２での電力回生モードの実施の形態５におけるタイムチャートである。
【発明を実施するための形態】
【０００９】
＜本開示に係る一形態を得るに至った経緯＞
電力変換装置の一次側に配置されたインバータ回路が、フルブリッジ型の場合、四つのスイッチング素子のオンオフを切り替えるタイミングを制御することにより、電力変換装置の二次側から出力される電圧の振幅を制御することができる。しかし、この場合、電力変換装置の二次側から電力を出力しない期間に、インバータ回路において、循環電流が発生する。循環電流は電力のロスとなる。このような課題は、上記特許文献１において言及されていない。そこで、一次側のインバータ回路において、循環電流が発生しないようにするために、本開示の構成を創作するに至った。
【００１０】
＜開示の一態様の概要＞
本開示の一態様である電力変換装置は、図１を参照して、一次巻線１９と一次巻線１９と磁気結合される二次巻線２１とを含むトランス９と、直流電源１７からの直流電圧を交流電圧に変換し、変換した交流電圧を一次巻線１９に供給するインバータ回路５と、商用電力系統２７又は負荷２９のいずれか一方と電気的に接続可能な第１端１５ａと第２端１５ｂとを含む接続部１５と、接続部１５の第１端１５ａと二次巻線２１の第１端２１ａとの間に挿入される第１スイッチング素子Ｓ５と、接続部１５の第２端１５ｂと二次巻線２１の第１端２１ａとの間に挿入される第２スイッチング素子Ｓ６と、接続部１５の第１端１５ａと二次巻線２１の第２端２１ｂとの間に挿入される第３スイッチング素子Ｓ７と、接続部１５の第２端１５ｂと二次巻線２１の第２端２１ｂとの間に挿入される第４スイッチング素子Ｓ８と、接続部１５から出力される出力電圧または出力電流の少なくとも一方の振幅を制御する制御部７と、を備え、図５、図１６及び図１７を参照して、制御部７は、第１スイッチング素子Ｓ５と第４スイッチング素子Ｓ８との内の少なくとも一方を、二次巻線２１の電圧（トランス電圧Ｖ１）が正である第１期間における第１オン時点Ｔｏｎ１において、オフからオンに切り替え、第２スイッチング素子Ｓ６と第３スイッチング素子Ｓ７との内の少なくとも一方を、第１期間に続く二次巻線２１の電圧が負である第２期間における第２オン時点Ｔｏｎ２において、オフからオンに切り替え、第１オン時点Ｔｏｎ１または第２オン時点Ｔｏｎ２の内の少なくともいずれか一方をシフトさせることにより、出力電圧または出力電流の少なくとも一方の振幅を制御する。
【００１１】
本開示の一態様である電力変換装置１によれば、電力変換装置１の二次側に配置された第１〜第４スイッチング素子Ｓ５〜Ｓ８を制御することによって、出力電圧または出力電流の少なくとも一方の振幅を制御する。このため、一次側のインバータ回路５では、出力電圧または出力電流の少なくとも一方の振幅を制御するための処理が不要なので（インバータ回路５を構成するスイッチング素子Ｓ１，Ｓ２，Ｓ３，Ｓ４を駆動させる信号の位相を固定できるので）、一次側のインバータ回路５において、循環電流が発生しないようにすることができる。
【００１２】
上記構成において、図５を参照して、制御部７は、第１スイッチング素子Ｓ５と第４スイッチング素子Ｓ８との内で第１オン時点Ｔｏｎ１にてオフからオンに切り替えないスイッチング素子を、第１期間および第２期間に渡って、オン状態とし、第２スイッチング素子Ｓ６と第３スイッチング素子Ｓ７との内で第２オン時点Ｔｏｎ２にてオフからオンに切り替えないスイッチング素子を、第１期間および第２期間に渡って、オン状態とすることにより、出力電圧または出力電流の少なくとも一方の振幅を制御する。
【００１３】
この構成は、図５に示すように、非対称制御において、電力供給モードを実現できる。また、図５に示す期間Ｔ１，Ｔ３において、トランス電流ｉ１が０になり、第１スイッチング素子Ｓ５、第２スイッチング素子Ｓ６、第３スイッチング素子Ｓ７及び第４スイッチング素子Ｓ８によって構成される回路からインバータ回路５に電力が回生されないので、電力のロスを少なくできる。
【００１４】
なお、トランス電流ｉ１が０とは、理想的には、０という意味であり、実際には、漏れ磁束等の影響でトランス電流ｉ１が若干発生している。以降、トランス電流ｉ１が０とは、この意味である。
【００１５】
上記構成において、図５、図１６及び図１７を参照して、制御部７は、第１スイッチング素子Ｓ５と第４スイッチング素子Ｓ８との内で第１オン時点Ｔｏｎ１にてオフからオンに切り替えたスイッチング素子を、第２期間の第１オフ時点Ｔｏｆｆ１において、オンからオフに切り替え、第２スイッチング素子Ｓ６と第３スイッチング素子Ｓ７との内で第２オン時点Ｔｏｎ２にてオフからオンに切り替えたスイッチング素子を、第２期間に続く二次巻線２１の電圧が正である第３期間における第２オフ時点Ｔｏｆｆ２において、オンからオフに切り替えることにより、出力電圧の振幅または出力電流の少なくとも一方を制御する。
【００１６】
この構成は、スイッチング素子のオンからオフに切り替えるタイミングの一例である。この構成を図５に示す非対称制御に適用した場合、電力のロスを少なくできる。
【００１７】
上記構成において、図６を参照して、制御部７は、第１スイッチング素子Ｓ５と第４スイッチング素子Ｓ８との内のいずれか一方を、第１オン時点Ｔｏｎ１と異なる予め定められた第３オン時点Ｔｏｎ３において、オフからオンに切り替え、第１スイッチング素子Ｓ５と第４スイッチング素子Ｓ８との内のもう一方を、第１期間で、かつ、第３オン時点Ｔｏｎ３よりも前の第４オン時点Ｔｏｎ４において、オフからオンに切り替え、第２スイッチング素子Ｓ６と第３スイッチング素子Ｓ７との内のいずれか一方を、第２オン時点Ｔｏｎ２と異なる予め定められた第５オン時点Ｔｏｎ５において、オフからオンに切り替え、第２スイッチング素子Ｓ６と第３スイッチング素子Ｓ７との内のもう一方を、第２期間で、かつ、第５オン時点Ｔｏｎ５よりも前の第６オン時点Ｔｏｎ６において、オフからオンに切り替え、第４オン時点Ｔｏｎ４または第６オン時点Ｔｏｎ６の少なくともいずれか一方をシフトさせることにより、出力電圧または出力電流の少なくとも一方の振幅を制御する。
【００１８】
この構成は、図６に示すように、非対称制御において、電力回生モードを実現できる。また、図６に示す期間Ｔ６，Ｔ８において、トランス電流ｉ１が０になり、インバータ回路５から第１スイッチング素子Ｓ５、第２スイッチング素子Ｓ６、第３スイッチング素子Ｓ７及び第４スイッチング素子Ｓ８によって構成される回路に電力が供給されないので、電力のロスを少なくできる。
【００１９】
上記構成において、図６を参照して、制御部７は、第１期間において、第３オン時点を設定し、第２期間において、第５オン時点を設定する。
【００２０】
この構成は、直流電源１７と負荷２９とを接続して運転（自立運転）をする場合、及び、直流電源１７と商用電力系統２７とを接続して運転（系統連系運転）をする場合のいずれにも適用することができる。
【００２１】
上記構成において、図６を参照して、制御部７は、第１スイッチング素子Ｓ５と第４スイッチング素子Ｓ８との内で第３オン時点Ｔｏｎ３にてオフからオンに切り替えたスイッチング素子を、第２期間で、かつ、第５オン時点Ｔｏｎ５よりも後の第３オフ時点Ｔｏｆｆ３において、オンからオフに切り替え、第１スイッチング素子Ｓ５と第４スイッチング素子Ｓ８との内で第４オン時点Ｔｏｎ４にてオフからオンに切り替えたスイッチング素子を、第３オフ時点Ｔｏｆｆ３よりも後の第４オフ時点Ｔｏｆｆ４において、オンからオフに切り替え、第２スイッチング素子Ｓ６と第３スイッチング素子Ｓ７との内で第５オン時点Ｔｏｎ５にてオフからオンに切り替えたスイッチング素子を、第２期間に続く二次巻線２１の電圧が正である第３期間における第５オフ時点Ｔｏｆｆ５において、オンからオフに切り替え、第２スイッチング素子Ｓ６と第３スイッチング素子Ｓ７との内で第６オン時点Ｔｏｎ６にてオフからオンに切り替えたスイッチング素子を、第３期間における第６オフ時点Ｔｏｆｆ６において、オンからオフに切り替えることにより、出力電圧または出力電流の少なくとも一方の振幅を制御する。
【００２２】
この構成は、スイッチング素子のオンからオフに切り替えるタイミングの一例である。
【００２３】
上記構成において、図１５を参照して、制御部７は、第１スイッチング素子Ｓ５と第４スイッチング素子Ｓ８との内のいずれか一方を、第１オン時点Ｔｏｎ１と異なる予め定められた第３オン時点Ｔｏｎ３において、オフからオンに切り替え、第３オン時点Ｔｏｎ３後、第２期間における第３オフ時点Ｔｏｆｆ３において、オンからオフに切り替え、第２スイッチング素子Ｓ６と第３スイッチング素子Ｓ７との内のいずれか一方を、第２オン時点Ｔｏｎ２と異なる予め定められた第５オン時点Ｔｏｎ５において、オフからオンに切り替え、第５オン時点Ｔｏｎ５より前の第１期間における第５オフ時点Ｔｏｆｆ５において、オンからオフに切り替え、第２スイッチング素子Ｓ６と第３スイッチング素子Ｓ７との内のもう一方を、第２期間で、かつ、第３オフ時点Ｔｏｆｆ３よりも前である第６オン時点Ｔｏｎ６において、オフからオンに切り替え、第１スイッチング素子Ｓ５と第４スイッチング素子Ｓ８との内のもう一方を、第１期間で、かつ、第５オフ時点Ｔｏｆｆ５よりも前である第４オン時点Ｔｏｎ４において、オフからオンに切り替え、第４オン時点Ｔｏｎ４または第６オン時点Ｔｏｎ６の少なくともいずれか一方をシフトさせることにより、出力電圧または出力電流の少なくとも一方の振幅を制御する。
【００２４】
この構成は、図１５に示すように、非対称制御において、電力回生モードを実現できる。また、図１５に示す期間Ｔ６，Ｔ８において、トランス電流ｉ１が０になり、インバータ回路５から第１スイッチング素子Ｓ５、第２スイッチング素子Ｓ６、第３スイッチング素子Ｓ７及び第４スイッチング素子Ｓ８によって構成される回路に電力が供給されないので、電力のロスを少なくできる。
【００２５】
この構成は、直流電源１７と負荷２９とを接続して運転（自立運転）をする場合、及び、直流電源１７と商用電力系統２７とを接続して運転（系統連系運転）をする場合のいずれにも適用することができる。
【００２６】
上記構成において、図１５を参照して、制御部７は、第１スイッチング素子Ｓ５と第４スイッチング素子Ｓ８との内で、第４オン時点Ｔｏｎ４にてオフからオンに切り替えたスイッチング素子を、第５オン時点Ｔｏｎ５よりも後である第４オフ時点Ｔｏｆｆ４において、オンからオフに切り替え、第２スイッチング素子Ｓ６と第３スイッチング素子Ｓ７との内で、第６オン時点Ｔｏｎ６にてオフからオンに切り替えたスイッチング素子を、第６オン時点Ｔｏｎ６よりも前で、かつ、第３オン時点Ｔｏｎ３よりも後である第６オフ時点Ｔｏｆｆ６において、オンからオフに切り替えることにより、出力電圧または出力電流の少なくとも一方の振幅を制御する。
【００２７】
この構成は、スイッチング素子のオンからオフに切り替えるタイミングの一例である。
【００２８】
上記構成において、図１を参照して、接続部１５の第１端１５ａと二次巻線２１の第１端２１ａとの間に、第１スイッチング素子Ｓ５と並列に挿入され、電流を流す方向が第１スイッチング素子Ｓ５と逆方向である第５スイッチング素子Ｓ９と、接続部１５の第２端１５ｂと二次巻線２１の第１端２１ａとの間に、第２スイッチング素子Ｓ６と並列に挿入され、電流を流す方向が第２スイッチング素子Ｓ６と逆方向である第６スイッチング素子Ｓ１０と、接続部１５の第１端１５ａと二次巻線２１の第２端２１ｂとの間に、第３スイッチング素子Ｓ７と並列に挿入され、電流を流す方向が第３スイッチング素子Ｓ７と逆方向である第７スイッチング素子Ｓ１１と、接続部１５の第２端１５ｂと二次巻線２１の第２端２１ｂとの間に、第４スイッチング素子Ｓ８と並列に挿入され、電流を流す方向が第４スイッチング素子Ｓ８と逆方向である第８スイッチング素子Ｓ１２と、を備え、制御部７は、接続部１５から出力される出力電流が正である期間において、第１スイッチング素子Ｓ５、第２スイッチング素子Ｓ６、第３スイッチング素子Ｓ７及び第４スイッチング素子Ｓ８を制御することによって、出力電圧の振幅を制御し、接続部１５から出力される出力電流が負である期間において、第１スイッチング素子Ｓ５に替えて第６スイッチング素子Ｓ１０を制御し、第２スイッチング素子Ｓ６に替えて第５スイッチング素子Ｓ９を制御し、第３スイッチング素子Ｓ７に替えて第８スイッチング素子Ｓ１２を制御し、第４スイッチング素子Ｓ８に替えて第７スイッチング素子Ｓ１１を制御することによって、出力電圧または出力電流の少なくとも一方の振幅を制御する。
【００２９】
この構成によれば、出力電流が正負に応じて、制御するスイッチング素子を替えることによって、出力電圧または出力電流の少なくとも一方の振幅を制御する。
【００３０】
第１スイッチング素子Ｓ５に替えて第６スイッチング素子Ｓ１０を制御し、第２スイッチング素子Ｓ６に替えて第５スイッチング素子Ｓ９を制御し、第３スイッチング素子Ｓ７に替えて第８スイッチング素子Ｓ１２を制御し、第４スイッチング素子Ｓ８に替えて第７スイッチング素子Ｓ１１を制御する、とは、以下の（ａ）〜（ｇ）である。
（ａ）図５、図１６及び図１７を参照して、制御部７は、第６スイッチング素子Ｓ１０と第７スイッチング素子Ｓ１１との内の少なくとも一方を、二次巻線２１の電圧が正である第１期間における第１オン時点Ｔｏｎ１において、オフからオンに切り替え、第５スイッチング素子Ｓ９と第８スイッチング素子Ｓ１２との内の少なくとも一方を、第１期間に続く二次巻線２１の電圧が負である第２期間における第２オン時点Ｔｏｎ２において、オフからオンに切り替え、第１オン時点Ｔｏｎ１または第２オン時点Ｔｏｎ２の内の少なくともいずれか一方をシフトさせることにより、出力電圧または出力電流の少なくとも一方の振幅を制御する。
（ｂ）図５を参照して、制御部７は、第６スイッチング素子Ｓ１０と第７スイッチング素子Ｓ１１との内で第１オン時点Ｔｏｎ１にてオフからオンに切り替えないスイッチング素子を、第１期間および第２期間に渡って、オン状態とし、第５スイッチング素子Ｓ９と第８スイッチング素子Ｓ１２との内で第２オン時点Ｔｏｎ２にてオフからオンに切り替えないスイッチング素子を、第１期間および第２期間に渡って、オン状態とすることにより、出力電圧または出力電流の少なくとも一方の振幅を制御する。
（ｃ）図５、図１６及び図１７を参照して、制御部７は、第６スイッチング素子Ｓ１０と第７スイッチング素子Ｓ１１との内で第１オン時点Ｔｏｎ１にてオフからオンに切り替えたスイッチング素子を、第２期間の第１オフ時点Ｔｏｆｆ１において、オンからオフに切り替え、第５スイッチング素子Ｓ９と第８スイッチング素子Ｓ１２との内で第２オン時点Ｔｏｎ２にてオフからオンに切り替えたスイッチング素子を、第２期間に続く二次巻線２１の電圧が正である第３期間における第２オフ時点Ｔｏｆｆ２において、オンからオフに切り替えることにより、出力電圧または出力電流の少なくとも一方の振幅を制御する。
（ｄ）図６を参照して、制御部７は、第６スイッチング素子Ｓ１０と第７スイッチング素子Ｓ１１との内のいずれか一方を、第１オン時点Ｔｏｎ１と異なる予め定められた第３オン時点Ｔｏｎ３において、オフからオンに切り替え、第６スイッチング素子Ｓ１０と第７スイッチング素子Ｓ１１との内のもう一方を、第１期間で、かつ、第３オン時点Ｔｏｎ３よりも前の第４オン時点Ｔｏｎ４において、オフからオンに切り替え、第５スイッチング素子Ｓ９と第８スイッチング素子Ｓ１２との内のいずれか一方を、第２オン時点Ｔｏｎ２と異なる予め定められた第５オン時点Ｔｏｎ５において、オフからオンに切り替え、第５スイッチング素子Ｓ９と第８スイッチング素子Ｓ１２との内のもう一方を、第２期間で、かつ、第５オン時点Ｔｏｎ５よりも前の第６オン時点Ｔｏｎ６において、オフからオンに切り替え、第４オン時点Ｔｏｎ４または第６オン時点Ｔｏｎ６の少なくともいずれか一方をシフトさせることにより、出力電圧または出力電流の少なくとも一方の振幅を制御する。
（ｅ）図６を参照して、制御部７は、第６スイッチング素子Ｓ１０と第７スイッチング素子Ｓ１１との内で第３オン時点Ｔｏｎ３にてオフからオンに切り替えたスイッチング素子を、第２期間で、かつ、第５オン時点Ｔｏｎ５よりも後の第３オフ時点Ｔｏｆｆ３において、オンからオフに切り替え、第６スイッチング素子Ｓ１０と第７スイッチング素子Ｓ１１との内で第４オン時点Ｔｏｎ４にてオフからオンに切り替えたスイッチング素子を、第３オフ時点Ｔｏｆｆ３よりも後の第４オフ時点Ｔｏｆｆ４において、オンからオフに切り替え、第５スイッチング素子Ｓ９と第８スイッチング素子Ｓ１２との内で第５オン時点Ｔｏｎ５にてオフからオンに切り替えたスイッチング素子を、第２期間に続く二次巻線２１の電圧が正である第３期間における第５オフ時点Ｔｏｆｆ５において、オンからオフに切り替え、第５スイッチング素子Ｓ９と第８スイッチング素子Ｓ１２との内で第６オン時点Ｔｏｎ６にてオフからオンに切り替えたスイッチング素子を、第３期間における第６オフ時点Ｔｏｆｆ６において、オンからオフに切り替えることにより、出力電圧または出力電流の少なくとも一方の振幅を制御する。
（ｆ）図１５を参照して、制御部７は、第６スイッチング素子Ｓ１０と第７スイッチング素子Ｓ１１との内のいずれか一方を、第１オン時点Ｔｏｎ１と異なる予め定められた第３オン時点Ｔｏｎ３において、オフからオンに切り替え、第３オン時点Ｔｏｎ３後、第２期間における第３オフ時点Ｔｏｆｆ３において、オンからオフに切り替え、第５スイッチング素子Ｓ９と第８スイッチング素子Ｓ１２との内のいずれか一方を、第２オン時点Ｔｏｎ２と異なる予め定められた第５オン時点Ｔｏｎ５において、オフからオンに切り替え、第５オン時点Ｔｏｎ５より前の第１期間における第５オフ時点Ｔｏｆｆ５において、オンからオフに切り替え、第５スイッチング素子Ｓ９と第８スイッチング素子Ｓ１２との内のもう一方を、第２期間で、かつ、第３オフ時点Ｔｏｆｆ３よりも前である第６オン時点Ｔｏｎ６において、オフからオンに切り替え、第６スイッチング素子Ｓ１０と第７スイッチング素子Ｓ１１との内のもう一方を、第１期間で、かつ、第５オフ時点Ｔｏｆｆ５よりも前である第４オン時点Ｔｏｎ４において、オフからオンに切り替え、第４オン時点Ｔｏｎ４または第６オン時点Ｔｏｎ６の少なくともいずれか一方をシフトさせることにより、出力電圧または出力電流の少なくとも一方の振幅を制御する。
（ｇ）図１５を参照して、制御部７は、第６スイッチング素子Ｓ１０と第７スイッチング素子Ｓ１１との内で、第４オン時点Ｔｏｎ４にてオフからオンに切り替えたスイッチング素子を、第５オン時点Ｔｏｎ５よりも後である第４オフ時点Ｔｏｆｆ４において、オンからオフに切り替え、第５スイッチング素子Ｓ９と第８スイッチング素子Ｓ１２との内で、第６オン時点Ｔｏｎ６にてオフからオンに切り替えたスイッチング素子を、第６オン時点Ｔｏｎ６よりも前で、かつ、第３オン時点Ｔｏｎ３よりも後である第６オフ時点Ｔｏｆｆ６において、オンからオフに切り替えることにより、出力電圧または出力電流の少なくとも一方の振幅を制御する。
【００３１】
上記構成において、図２０を参照して、第１スイッチング素子Ｓ５、第２スイッチング素子Ｓ６、第３スイッチング素子Ｓ７及び第４スイッチング素子Ｓ８を含む正群コンバータと、第５スイッチング素子Ｓ９、第６スイッチング素子Ｓ１０、第７スイッチング素子Ｓ１１及び第８スイッチング素子Ｓ１２を含む負群コンバータと、を備え、制御部７は、出力電流の極性が切り替わるタイミングを、直流電源１７から商用電力系統２７又は負荷２９に電力を供給していない期間に設定し、正群コンバータ及び負群コンバータに対して、電力変換装置１の二次側で短絡が発生しない予め定められた制御をする。
【００３２】
この構成によれば、電力変換装置１の二次側で短絡が発生しないので、出力電流の極性をスムーズに切り替えることができる。
【００３３】
上記構成において、図２２〜図２４を参照して、制御部７は、予め定められた制御として、第１スイッチング素子Ｓ５と第２スイッチング素子Ｓ６と第５スイッチング素子Ｓ９と第６スイッチング素子Ｓ１０とを、オフ状態とする。
【００３４】
この構成は、予め定められた制御の一例である。
【００３５】
上記構成において、出力電流が正の期間、出力電流が負の期間、及び、出力電流の極性が切り替わる期間において、第１〜第８スイッチング素子Ｓ５〜Ｓ１２の少なくとも１つをオン状態とする。
【００３６】
この構成によれば、出力電流が正の期間、出力電流が負の期間、及び、出力電流の極性が切り替わる期間のいずれにおいても、第１〜第８スイッチング素子Ｓ５〜Ｓ１２の全てがオフ状態とならない。
【００３７】
上記構成において、図１及び図２６を参照して、接続部１５と正群コンバータ及び負群コンバータとの間に挿入される交流用リアクトル（コイル２３）を備え、制御部７は、予め定められた制御として、二次巻線２１の電圧が負である第４期間において、第１スイッチング素子Ｓ５、第４スイッチング素子Ｓ８、第６スイッチング素子Ｓ１０及び第７スイッチング素子Ｓ１１をオンし、かつ、第２スイッチング素子Ｓ６、第３スイッチング素子Ｓ７、第５スイッチング素子Ｓ９及び第８スイッチング素子Ｓ１２をオフした状態にし、第３スイッチング素子Ｓ７及び第８スイッチング素子Ｓ１２を、第４期間における第７オン時点Ｔｏｎ７において、オフからオンに切り替えることにより、交流用リアクトルを充電することを開始し、第１スイッチング素子Ｓ５及び第６スイッチング素子Ｓ１０を、第７オン時点Ｔｏｎ７より後で、かつ、第４期間に続く二次巻線２１の電圧が正である第５期間に切り替わる前における第７オフ時点Ｔｏｆｆ７において、オンからオフに切り替え、第２スイッチング素子Ｓ６及び第５スイッチング素子Ｓ９を、第５期間における第８オン時点Ｔｏｎ８において、オフからオンに切り替え、第４スイッチング素子Ｓ８及び第７スイッチング素子Ｓ１１を、第８オン時点Ｔｏｎ８より後で、かつ、第５期間における第８オフ時点Ｔｏｆｆ８において、オンからオフに切り替えることにより、交流用リアクトルに蓄積されたエネルギーを放出させる。
【００３８】
この構成は、予め定められた制御の他の例である。
【００３９】
上記構成において、図２を参照して、制御部７は、出力電圧と出力電流との極性が同じとき、直流電源１７から商用電力系統２７又は負荷２９に電力を供給する電力供給モードを実行し、出力電圧と出力電流との極性が異なるとき、商用電力系統２７又は負荷２９から直流電源１７に電力を回生する電力回生モードを実行する。
【００４０】
この構成によれば、電力供給と電力回生とを実行することができる。
【００４１】
上記構成において、図４０を参照して、インバータ回路５に接続され、電力供給モードにおいて昇圧動作をし、電力回生モードにおいて降圧動作をするチョッパ回路８１を備え、制御部７は、チョッパ回路８１と第１〜第８スイッチング素子Ｓ５〜Ｓ１２とを制御することにより、出力電圧の振幅を制御する。
【００４２】
この構成によれば、チョッパ回路８１を備えることにより、電圧の変動幅の大きな直流電源１７にも柔軟に対応できる。例えば、ＥＶ（ｅｌｅｃｔｒｉｃ  ｖｅｈｉｃｌｅ）バッテリー、太陽電池、燃料電池が電圧の変動幅が大きい場合においても適用することができる。
【００４３】
上記構成において、図１８及び図１９を参照して、第１ダイオードＤ５、第２ダイオードＤ６、第３ダイオードＤ７及び第４ダイオードＤ８を備え、制御部７が、第１スイッチング素子Ｓ５及び第３スイッチング素子Ｓ７の一方を通る経路から他方を通る経路に転流する制御をするときに、第１ダイオードＤ５及び第３ダイオードＤ７の一方が逆バイアス状態となり、かつ、他方が順バイアス状態となるように、第１ダイオードＤ５と第１スイッチング素子Ｓ５とが直列接続され、かつ、第３ダイオードＤ７と第３スイッチング素子Ｓ７とが直列接続されており、制御部７が、第２スイッチング素子Ｓ６及び第４スイッチング素子Ｓ８の一方を通る経路から他方を通る経路に転流する制御をするときに、第２ダイオードＤ６及び第４ダイオードＤ８の一方が逆バイアス状態となり、かつ、他方が順バイアス状態となるように、第２ダイオードＤ６と第２スイッチング素子Ｓ６とが直列接続され、かつ、第４ダイオードＤ８と第４スイッチング素子Ｓ８とが直列接続されている。
【００４４】
この構成によれば、ソフトスイッチングによって、転流をすることができる。
【００４５】
（実施の形態１）
以下、図面に基づいて本開示の実施形態を詳細に説明する。図１は、本実施形態に係る電力変換装置１の回路図である。電力変換装置１は、接続部３、インバータ回路５、制御部７、トランス９、サイクロコンバータ１１、フィルタ回路１３、及び、接続部１５を備えるパワーコンディショナーである。
【００４６】
接続部３は、直流電源１７の正極と電気的に接続される第１端３ａと、直流電源１７の負極と電気的に接続される第２端３ｂとを備える。直流電源１７として、蓄電池を例にしているが、他の直流電源（例えば、太陽電池、燃料電池）についても、本実施形態を適用することができる。
【００４７】
直流電源１７の電力は、接続部３を介して、インバータ回路５に供給される。インバータ回路５は、高周波インバータであり、直流電源１７から供給された直流電圧を高周波電圧（交流電圧）に変換する。
【００４８】
インバータ回路５は、４個のスイッチング素子Ｓ１，Ｓ２，Ｓ３，Ｓ４がブリッジ接続された構成を有するフルブリッジ型の回路である。スイッチング素子Ｓ１，Ｓ２，Ｓ３，Ｓ４として、ｎｐｎ型の絶縁ゲートバイポーラトランジスタを例にしているが、フルブリッジ型の回路を構成できるスイッチング素子であればよく、例えば、電界効果型のトランジスタが採用されてもよい。
【００４９】
制御部７は、スイッチング素子Ｓ１，Ｓ４をオン制御しているときに、スイッチング素子Ｓ２，Ｓ３をオフ制御し、スイッチング素子Ｓ１，Ｓ４をオフ制御しているときに、スイッチング素子Ｓ２，Ｓ３をオン制御する。
【００５０】
インバータ回路５は、４個の還流ダイオードＤ１，Ｄ２，Ｄ３，Ｄ４を備える。還流ダイオードＤ１は、所定の向きの電流が流れるように、スイッチング素子Ｓ１のエミッタとコレクタとに接続されている。所定の向きの電流とは、スイッチング素子Ｓ１がオン状態のときにスイッチング素子Ｓ１に流れる電流と逆向きの電流である。これと同様にして、還流ダイオードＤ２がスイッチング素子Ｓ２のエミッタとコレクタとに接続され、還流ダイオードＤ３がスイッチング素子Ｓ３のエミッタとコレクタとに接続され、還流ダイオードＤ４がスイッチング素子Ｓ４のエミッタとコレクタとに接続されている。
【００５１】
トランス９は、高周波トランスであり、一次巻線１９と、一次巻線１９と磁気結合される二次巻線２１とを備える。一次巻線１９の第１端１９ａと第２端１９ｂとは、インバータ回路５の出力端子と接続されている。二次巻線２１の第１端２１ａと第２端２１ｂとは、サイクロコンバータ１１の入力端子と接続されている。
【００５２】
トランス９は、インバータ回路５とサイクロコンバータ１１とを絶縁し、電力供給モードのとき、インバータ回路５から一次巻線１９に供給された高周波電圧を、サイクロコンバータ１１に供給し、電力回生モードのとき、サイクロコンバータ１１から二次巻線２１に供給された電圧を、インバータ回路５に供給する。これらのモードについては、後で詳しく説明する。
【００５３】
サイクロコンバータ１１は、トランス９から供給された高周波電圧を、直接、商用の交流電圧に変換する直接交流コンバータである。
【００５４】
サイクロコンバータ１１は、第１スイッチング素子Ｓ５、第２スイッチング素子Ｓ６、第３スイッチング素子Ｓ７及び第４スイッチング素子Ｓ８がブリッジ接続された構成を有する正群コンバータと、第５スイッチング素子Ｓ９、第６スイッチング素子Ｓ１０、第７スイッチング素子Ｓ１１及び第８スイッチング素子Ｓ１２がブリッジ接続された構成を有する負群コンバータと、を含む。これらのスイッチング素子として、ｎｐｎ型の絶縁ゲートバイポーラトランジスタを例にしているが、これに限定されない。
【００５５】
正群コンバータは、接続部１５から出力される出力電流が正のときに動作する。負群コンバータは、接続部１５から出力される出力電流が負のときに動作する。
【００５６】
第１スイッチング素子Ｓ５は、接続部１５の第１端１５ａと二次巻線２１の第１端２１ａとの間に挿入される。第２スイッチング素子Ｓ６は、接続部１５の第２端１５ｂと二次巻線２１の第１端２１ａとの間に挿入される。第３スイッチング素子Ｓ７は、接続部１５の第１端１５ａと二次巻線２１の第２端２１ｂとの間に挿入される。第４スイッチング素子Ｓ８は、接続部１５の第２端１５ｂと二次巻線２１の第２端２１ｂとの間に挿入される。
【００５７】
サイクロコンバータ１１は、さらに、第１ダイオードＤ５、第２ダイオードＤ６、第３ダイオードＤ７及び第４ダイオードＤ８を備える。これらのダイオードは、第１スイッチング素子Ｓ５、第２スイッチング素子Ｓ６、第３スイッチング素子Ｓ７及び第４スイッチング素子Ｓ８によって構成される正群コンバータの動作時において、ＺＶＳ（Ｚｅｒｏ  Ｖｏｌｔａｇｅ  Ｓｗｉｔｃｈｉｎｇ）またはＺＣＳ（Ｚｅｒｏ  Ｃｕｒｒｅｎｔ  Ｓｗｉｔｃｈｉｎｇ）  を実行するために用いられる。ＺＶＳおよびＺＣＳは、ソフトスイッチングと称され、ＺＶＳは、電圧がゼロの状態で行なうスイッチングであり、ＺＣＳは、電流がゼロの状態で行なうスイッチングである。
【００５８】
第１ダイオードＤ５は、二次巻線２１の第１端２１ａと第１スイッチング素子Ｓ５のコレクタとの間に挿入されている。第１ダイオードＤ５の順方向は、第１スイッチング素子Ｓ５が電流を流す向きである。
【００５９】
第２ダイオードＤ６は、接続部１５の第２端１５ｂと第２スイッチング素子Ｓ６のコレクタとの間に挿入されている。第２ダイオードＤ６の順方向は、第２スイッチング素子Ｓ６が電流を流す向きである。
【００６０】
第３ダイオードＤ７は、二次巻線２１の第２端２１ｂと第３スイッチング素子Ｓ７のコレクタとの間に挿入されている。第３ダイオードＤ７の順方向は、第３スイッチング素子Ｓ７が電流を流す向きである。
【００６１】
第４ダイオードＤ８は、接続部１５の第２端１５ｂと第４スイッチング素子Ｓ８のコレクタとの間に挿入されている。第４ダイオードＤ８の順方向は、第４スイッチング素子Ｓ８が電流を流す向きである。
【００６２】
第５スイッチング素子Ｓ９は、接続部１５の第１端１５ａと二次巻線２１の第１端２１ａとの間に、第１スイッチング素子Ｓ５と並列に挿入され、電流を流す方向が第１スイッチング素子Ｓ５と逆方向である。詳しく説明すると、第５スイッチング素子Ｓ９のコレクタは、第５ダイオードＤ９を介して、第１スイッチング素子Ｓ５のエミッタに接続され、第５スイッチング素子Ｓ９のエミッタは、第１ダイオードＤ５を介して、第１スイッチング素子Ｓ５のコレクタに接続されている。
【００６３】
第６スイッチング素子Ｓ１０は、接続部１５の第２端１５ｂと二次巻線２１の第１端２１ａとの間に、第２スイッチング素子Ｓ６と並列に挿入され、電流を流す方向が第２スイッチング素子Ｓ６と逆方向である。詳しく説明すると、第６スイッチング素子Ｓ１０のコレクタは、第６ダイオードＤ１０を介して、第２スイッチング素子Ｓ６のエミッタに接続され、第６スイッチング素子Ｓ１０のエミッタは、第２ダイオードＤ６を介して、第２スイッチング素子Ｓ６のコレクタに接続されている。
【００６４】
第７スイッチング素子Ｓ１１は、接続部１５の第１端１５ａと二次巻線２１の第２端２１ｂとの間に、第３スイッチング素子Ｓ７と並列に挿入され、電流を流す方向が第３スイッチング素子Ｓ７と逆方向である。詳しく説明すると、第７スイッチング素子Ｓ１１のコレクタは、第７ダイオードＤ１１を介して、第３スイッチング素子Ｓ７のエミッタに接続され、第７スイッチング素子Ｓ１１のエミッタは、第３ダイオードＤ７を介して、第３スイッチング素子Ｓ７のコレクタに接続されている。
【００６５】
第８スイッチング素子Ｓ１２は、接続部１５の第２端１５ｂと二次巻線２１の第２端２１ｂとの間に、第４スイッチング素子Ｓ８と並列に挿入され、電流を流す方向が第４スイッチング素子Ｓ８と逆方向である。詳しく説明すると、第８スイッチング素子Ｓ１２のコレクタは、第８ダイオードＤ１２を介して、第４スイッチング素子Ｓ８のエミッタに接続され、第８スイッチング素子Ｓ１２のエミッタは、第４ダイオードＤ８を介して、第４スイッチング素子Ｓ８のコレクタに接続されている。
【００６６】
サイクロコンバータ１１は、さらに、第５ダイオードＤ９、第６ダイオードＤ１０、第７ダイオードＤ１１及び第８ダイオードＤ１２を備える。これらのダイオードは、第５スイッチング素子Ｓ９、第６スイッチング素子Ｓ１０、第７スイッチング素子Ｓ１１及び第８スイッチング素子Ｓ１２によって構成される負群コンバータの動作時において、ＺＶＳまたはＺＣＳを実行するために用いられる。
【００６７】
第５ダイオードＤ９は、接続部１５の第１端１５ａと第５スイッチング素子Ｓ９のコレクタとの間に挿入されている。第５ダイオードＤ９の順方向は、第５スイッチング素子Ｓ９が電流を流す向きである。
【００６８】
第６ダイオードＤ１０は、二次巻線２１の第１端２１ａと第６スイッチング素子Ｓ１０のコレクタとの間に挿入されている。第６ダイオードＤ１０の順方向は、第６スイッチング素子Ｓ１０が電流を流す向きである。
【００６９】
第７ダイオードＤ１１は、接続部１５の第１端１５ａと第７スイッチング素子Ｓ１１のコレクタとの間に挿入されている。第７ダイオードＤ１１の順方向は、第７スイッチング素子Ｓ１１が電流を流す向きである。
【００７０】
第８ダイオードＤ１２は、二次巻線２１の第２端２１ｂと第８スイッチング素子Ｓ１２のコレクタとの間に挿入されている。第８ダイオードＤ１２の順方向は、第８スイッチング素子Ｓ１２が電流を流す向きである。
【００７１】
第１ダイオードＤ５と第１スイッチング素子Ｓ５との順番が逆でもよい。すなわち、第１ダイオードＤ５の順方向に対して、第１ダイオードＤ５が下流側、第１スイッチング素子Ｓ５が上流側に配置されているが、第１ダイオードＤ５が上流側、第１スイッチング素子Ｓ５が下流側に配置されていてもよい。第２ダイオードＤ６と第２スイッチング素子Ｓ６との順番〜第８ダイオードＤ１２と第８スイッチング素子Ｓ１２との順番についても同様である。
【００７２】
制御部７は、第１〜第８スイッチング素子Ｓ５〜Ｓ１２のオンオフ制御をすることによって、接続部１５から出力される出力電圧の振幅を制御する。詳しくは、後で説明する。なお、制御部７は、例えば、プロセッサ（例えば、ＣＰＵ（Ｃｅｎｔｒａｌ  Ｐｒｏｃｅｓｓｉｎｇ  Ｕｎｉｔ）、ＭＰＵ（Ｍｉｃｒｏ−Ｐｒｏｃｅｓｓｉｎｇ  Ｕｎｉｔ）、など）により、構成されてもよい。このとき、当該プロセッサは、メモリに記憶されているプログラムを読み出して実行することで、本開示で示される制御方法を実行してもよい。
【００７３】
フィルタ回路１３は、サイクロコンバータ１１の出力と接続部１５との間に挿入されている。フィルタ回路１３は、コイル２３とコンデンサ２５とにより構成され、サイクロコンバータ１１から出力された交流信号を平滑化する。これにより、サイクロコンバータ１１から出力された矩形波の交流信号が、パルス幅に応じた振幅を持つ正弦波状の交流信号に変換される。
【００７４】
接続部１５は、商用電力系統２７又は負荷２９のいずれか一方と電気的に接続可能な第１端１５ａと第２端１５ｂとを含むスイッチである。負荷２９は、力率が１となる抵抗負荷、または、力率が１と異なる誘導性負荷あるいは容量性負荷である。直流電源１７から商用電力系統２７に電力を供給するとき（売電）、または、直流電源１７を充電するとき、接続部１５と商用電力系統２７とが接続される。直流電源１７から負荷２９（例えば、家電製品）に電力を供給するとき、接続部１５と負荷２９とが接続される。
【００７５】
本実施形態に係る電力変換装置１の動作について説明する。図２は、この動作の概要を説明する説明図である。図１及び図２を参照して、電力変換装置１の動作には、直流電源１７からの電力を、商用電力系統２７又は負荷２９に供給する電力供給モード（インバータモード）と、商用電力系統２７又は負荷２９からの電力を直流電源１７に回生する電力回生モード（コンバータモード）とがある。
【００７６】
図２に示す波形は、接続部１５から出力される出力電圧Ｖｏと出力電流ｉｏとの一例を示している。なお、フィルタ回路１３に印加される電圧の波形には、なまりがないので、これを出力電圧Ｖｏとして説明する。出力電圧Ｖｏと出力電流ｉｏとの位相差は、９０°である。出力電流ｉｏが正のとき、第１スイッチング素子Ｓ５、第２スイッチング素子Ｓ６、第３スイッチング素子Ｓ７及び第４スイッチング素子Ｓ８によって構成される正群コンバータが動作する。出力電流ｉｏの負のとき、第５スイッチング素子Ｓ９、第６スイッチング素子Ｓ１０、第７スイッチング素子Ｓ１１及び第８スイッチング素子Ｓ１２によって構成される負群コンバータが動作する。
【００７７】
出力電圧Ｖｏと出力電流ｉｏとの極性が同じとき、電力供給モードとなる。電力供給モードには、（１）で示す出力電圧Ｖｏと出力電流ｉｏとが正であるモードと、（３）で示す出力電圧Ｖｏと出力電流ｉｏとが負であるモードとがある。
【００７８】
出力電圧Ｖｏと出力電流ｉｏとの極性が異なるとき、電力回生モードとなる。電力回生モードには、（２）で示す出力電圧Ｖｏが負であり、出力電流ｉｏが正であるモードと、（４）で示す出力電圧Ｖｏが正であり、出力電流ｉｏが負であるモードとがある。
【００７９】
図２に示す波形は、出力電圧Ｖｏと出力電流ｉｏとの位相差が９０°であり、電力供給モードと電力回生モードとが交互に発生している。これに対して、図３に示すように、出力電圧Ｖｏと出力電流ｉｏとの位相差が０°（すなわち、力率が１）のとき、電力回生モードがなく、電力供給モードのみとなる。また、図４に示すように、出力電圧Ｖｏと出力電流ｉｏとの位相差が１８０°（すなわち、力率が０）のとき、電力供給モードがなく、電力回生モードのみとなる。なお、図２は遅れ力率の図であるが、進み力率の場合も同様である。
【００８０】
図２に示す表は、第１〜第８スイッチング素子Ｓ５〜Ｓ１２の動作を示している。（１）で示す電力供給モードにおいてトランス電圧Ｖ１が正の場合、（１）で示す電力供給モードにおいてトランス電圧Ｖ１が負の場合、（２）で示す電力回生モードにおいてトランス電圧Ｖ１が正の場合、（２）で示す電力回生モードにおいてトランス電圧Ｖ１が負の場合、（３）で示す電力供給モードにおいてトランス電圧Ｖ１が正の場合、（３）で示す電力供給モードにおいてトランス電圧Ｖ１が負の場合、（４）で示す電力回生モードにおいてトランス電圧Ｖ１が正の場合、（４）で示す電力回生モードにおいてトランス電圧Ｖ１が負の場合のそれぞれに応じて、第１〜第８スイッチング素子Ｓ５〜Ｓ１２の動作が異なる。なお、表内において、「常時ＯＮ」とは、トランス電圧Ｖ１の正負が切り替わる期間も、ＯＮであることを示す。
【００８１】
図５は、図３に示す期間Ｔ１０での電力供給モードのタイムチャートである。図６は、図４に示す期間Ｔ１２での電力回生モードのタイムチャートである。一次側駆動信号は、インバータ回路５を構成するスイッチング素子Ｓ１，Ｓ２，Ｓ３，Ｓ４をオン状態にさせる制御信号である。制御部７は、一次側駆動信号の位相を固定して、一次側駆動信号をスイッチング素子Ｓ１，Ｓ２，Ｓ３，Ｓ４に供給する。
【００８２】
トランス電圧Ｖ１とは、二次巻線２１の電圧である。一次巻線１９の電圧の波形は、二次巻線２１の電圧の波形と同様なので、一次巻線１９の電圧の波形は省略する。トランス電流ｉ１とは、二次巻線２１の電流である。一次巻線１９の電流の波形は、二次巻線２１の電流の波形と同様なので、一次巻線１９の電流の波形は省略する。
【００８３】
二次側駆動信号は、サイクロコンバータ１１を構成する第１スイッチング素子Ｓ５〜第８スイッチング素子Ｓ１２をオン状態にさせる制御信号である。
【００８４】
図１及び図２を参照して、（１）で示す電力供給モード、及び、（２）で示す電力回生モードでは、出力電流ｉｏが正なので、正群コンバータが動作する。制御部７は、正群コンバータを構成する第１スイッチング素子Ｓ５、第２スイッチング素子Ｓ６、第３スイッチング素子Ｓ７及び第４スイッチング素子Ｓ８をオンオフ制御する。
【００８５】
これに対して、（３）で示す電力供給モード、及び、（４）で示す電力回生モードでは、出力電流ｉｏが負なので、負群コンバータが動作する。負群コンバータの動作は、正群コンバータの動作と基本的に同じであり、オンオフ制御されるスイッチング素子が異なるだけである。従って、制御部７は、（３）で示す電力供給モード、及び、（４）で示す電力回生モードにおいて、図５及び図６に示すように、第１スイッチング素子Ｓ５の替わりに第６スイッチング素子Ｓ１０をオンオフ制御し、第２スイッチング素子Ｓ６の替わりに第５スイッチング素子Ｓ９をオンオフ制御し、第３スイッチング素子Ｓ７の替わりに第８スイッチング素子Ｓ１２をオンオフ制御し、第４スイッチング素子Ｓ８の替わりに第７スイッチング素子Ｓ１１をオンオフ制御する。
【００８６】
電力供給モード及び電力回生モードにおいて、制御部７は、インバータ回路５を構成するスイッチング素子Ｓ１，Ｓ２，Ｓ３，Ｓ４をオンオフ制御することによって、常時、デューティー比５０パーセントの高周波電力をインバータ回路５から出力させる。従って、インバータ回路５は、常時、デューティー比５０パーセントで対称駆動する方形波発振器として動作する。制御部７は、インバータ回路５の動作と同期させて、サイクロコンバータ１１を制御することにより、出力電圧Ｖｏの振幅を制御（言い換えれば、出力電圧Ｖｏの波形を成形）する。
【００８７】
サイクロコンバータ１１の制御を、（１）で示す電力供給モードにおいてトランス電圧Ｖ１が正の場合から順番に説明する。図７は、その場合のサイクロコンバータ１１の動作を説明する説明図である。図７に示す回路は、図１に示す電力変換装置１の二次側を示している。図８〜図１４に示す回路も同様である。電力変換装置１の二次側に商用電力系統２７が接続されている態様で説明するが、電力変換装置１の二次側に負荷２９が接続されている態様についても同様のことが言える。
【００８８】
図５及び図７を参照して、制御部７は、正群コンバータを構成するスイッチング素子のうち、第１スイッチング素子Ｓ５に対して、オフ制御からオン制御に切り替える。制御部７は、第２スイッチング素子Ｓ６に対して、オン制御してもよいし、オフ制御してもよい。図５では、第２スイッチング素子Ｓ６をオフ制御する例が示されている。制御部７は、第３スイッチング素子Ｓ７及び第４スイッチング素子Ｓ８に対して、常時、オン制御する。
【００８９】
制御部７は、負群コンバータを構成する第５〜第８スイッチング素子Ｓ９〜Ｓ１２に対して、常時、オフ制御をする。
【００９０】
なお、第１スイッチング素子Ｓ５の動作と第４スイッチング素子Ｓ８の動作とを入れ替えてもよい。すなわち、制御部７は、第１スイッチング素子Ｓ５に対して、常時、オン制御し、第４スイッチング素子Ｓ８に対して、オフ制御からオン制御に切り替える。
【００９１】
第１スイッチング素子Ｓ５がオフ制御されている期間Ｔ１のとき、電力変換装置１の二次側の電流は、第３スイッチング素子Ｓ７、商用電力系統２７及び第４スイッチング素子Ｓ８を通る経路３１を流れる。期間Ｔ１において、電力変換装置１は一次側と二次側とで電流の経路が分離される。そのため、トランス電流ｉ１が０となる。よって、電流供給モードにおいて、無効電力は電力変換装置１の一次側に回生されず、二次側だけで消費されるので、電力ロスを低下できる。
【００９２】
第１スイッチング素子Ｓ５がオフ制御からオン制御に切り替えられ、第１スイッチング素子Ｓ５がオン制御されている期間Ｔ２のとき、電力変換装置１の二次側の電流は、第１スイッチング素子Ｓ５、商用電力系統２７及び第４スイッチング素子Ｓ８を通る経路３２を流れる。期間Ｔ２では、直流電源１７からの電力が、商用電力系統２７に供給される。期間Ｔ２において、第３スイッチング素子Ｓ７はオン制御されているが、第３ダイオードＤ７が逆バイアス状態なので、電流は第３ダイオードＤ７を流れることができない。従って、第３スイッチング素子Ｓ７がオン制御されていても、電流は第３スイッチング素子Ｓ７を流れない。
【００９３】
以上の通り、（１）で示す電力供給モードにおいてトランス電圧Ｖ１が正の場合、制御部７は、第１スイッチング素子Ｓ５に電流が流れていない状態から流れている状態にシフトさせる制御（位相シフト）をする。
【００９４】
図８は、（１）で示す電力供給モードにおいてトランス９の電圧が負の場合のサイクロコンバータ１１の動作を説明する説明図である。図５及び図８を参照して、制御部７は、正群コンバータを構成するスイッチング素子のうち、第１スイッチング素子Ｓ５に対して、オン制御してもよいし、オフ制御してもよい。図５では、第１スイッチング素子Ｓ５をオフ制御する例が示されている。制御部７は、第２スイッチング素子Ｓ６に対して、オフ制御からオン制御に切り替える。制御部７は、第３スイッチング素子Ｓ７及び第４スイッチング素子Ｓ８に対して、常時、オン制御する。
【００９５】
制御部７は、負群コンバータを構成する第５〜第８スイッチング素子Ｓ９〜Ｓ１２に対して、常時、オフ制御をする。
【００９６】
なお、第２スイッチング素子Ｓ６の動作と第３スイッチング素子Ｓ７の動作とを入れ替えてもよい。すなわち、制御部７は、第２スイッチング素子Ｓ６に対して、常時、オン制御し、第３スイッチング素子Ｓ７に対して、オフ制御からオン制御に切り替える。
【００９７】
第２スイッチング素子Ｓ６がオフ制御されている期間Ｔ３のとき、電力変換装置１の二次側の電流は、第３スイッチング素子Ｓ７、商用電力系統２７及び第４スイッチング素子Ｓ８を通る経路３３を流れる。期間Ｔ３において、電力変換装置１は一次側と二次側とで電流の経路が分離される。そのため、トランス電流ｉ１が０となる。よって、電流供給モードにおいて、無効電力は電力変換装置１の一次側に回生されず、二次側だけで消費されるので、電力ロスを低下できる。
【００９８】
第２スイッチング素子Ｓ６がオフ制御からオン制御に切り替えられ、第２スイッチング素子Ｓ６がオン制御されている期間Ｔ４のとき、電力変換装置１の二次側の電流は、第３スイッチング素子Ｓ７、商用電力系統２７及び第２スイッチング素子Ｓ６を通る経路３４を流れる。期間Ｔ４では、直流電源１７からの電力が、商用電力系統２７に供給される。期間Ｔ４において、第４スイッチング素子Ｓ８はオン制御されているが、第４ダイオードＤ８が逆バイアス状態なので、電流は第４ダイオードＤ８を流れることができない。従って、第４スイッチング素子Ｓ８がオン制御されていても、電流は第４スイッチング素子Ｓ８を流れない。
【００９９】
以上の通り、（１）で示す電力供給モードにおいてトランス電圧Ｖ１が負の場合、制御部７は、第２スイッチング素子Ｓ６に電流が流れていない状態から流れている状態にシフトさせる制御（位相シフト）をする。
【０１００】
図９は、（２）で示す電力回生モードにおいてトランス電圧Ｖ１が正の場合のサイクロコンバータ１１の動作を説明する説明図である。図６及び図９を参照して、制御部７は、正群コンバータを構成するスイッチング素子のうち、第１スイッチング素子Ｓ５に対してオフ制御する。制御部７は、第２スイッチング素子Ｓ６及び第３スイッチング素子Ｓ７に対してオン制御する。制御部７は、第４スイッチング素子Ｓ８に対して、オフ制御からオン制御に切り替える。
【０１０１】
制御部７は、負群コンバータを構成する第５〜第８スイッチング素子Ｓ９〜Ｓ１２に対して、常時、オフ制御をする。
【０１０２】
第４スイッチング素子Ｓ８がオフ制御されている期間Ｔ５のとき、電力変換装置１の二次側の電流は、第３スイッチング素子Ｓ７、商用電力系統２７及び第２スイッチング素子Ｓ６を通る経路３５を流れる。期間Ｔ５において、商用電力系統２７からの電力が、直流電源１７に回生される。
【０１０３】
第４スイッチング素子Ｓ８がオフ制御からオン制御に切り替えられ、第４スイッチング素子Ｓ８がオン制御されている期間Ｔ６のとき、電力変換装置１の二次側の電流は、第３スイッチング素子Ｓ７、商用電力系統２７及び第４スイッチング素子Ｓ８を通る経路３６を流れる。期間Ｔ６において、電力変換装置１は一次側と二次側とで電流の経路が分離されるので、無効電力は電力変換装置１の一次側に回生されず、二次側だけで消費される。
【０１０４】
期間Ｔ６において、第２スイッチング素子Ｓ６はオン制御されているが、第２ダイオードＤ６が逆バイアス状態なので、電流は第２ダイオードＤ６を流れることができない。従って、第２スイッチング素子Ｓ６がオン制御されていても、電流は第２スイッチング素子Ｓ６を流れない。
【０１０５】
以上の通り、（２）で示す電力回生モードにおいてトランス電圧Ｖ１が正の場合、制御部７は、第２スイッチング素子Ｓ６に電流が流れている状態から流れていない状態にシフトさせる制御（位相シフト）をし、かつ、第４スイッチング素子Ｓ８に電流が流れていない状態から流れている状態にシフトさせる制御（位相シフト）をする。
【０１０６】
図１０は、（２）で示す電力回生モードにおいてトランス電圧Ｖ１が負の場合のサイクロコンバータ１１の動作を説明する説明図である。図６及び図１０を参照して、制御部７は、正群コンバータを構成するスイッチング素子のうち、第１スイッチング素子Ｓ５に対して、オン制御する。制御部７は、第２スイッチング素子Ｓ６に対してオフ制御する。制御部７は、第３スイッチング素子Ｓ７に対して、オフ制御からオン制御に切り替える。制御部７は、第４スイッチング素子Ｓ８に対してオン制御する。
【０１０７】
制御部７は、負群コンバータを構成する第５〜第８スイッチング素子Ｓ９〜Ｓ１２に対して、常時、オフ制御をする。
【０１０８】
第３スイッチング素子Ｓ７がオフ制御されている期間Ｔ７のとき、電力変換装置１の二次側の電流は、第１スイッチング素子Ｓ５、商用電力系統２７及び第４スイッチング素子Ｓ８を通る経路３７を流れる。期間Ｔ７において、商用電力系統２７からの電力が、直流電源１７に回生される。
【０１０９】
第３スイッチング素子Ｓ７がオフ制御からオン制御に切り替えられ、第３スイッチング素子Ｓ７がオン制御されている期間Ｔ８のとき、電力変換装置１の二次側の電流は、第３スイッチング素子Ｓ７、商用電力系統２７及び第４スイッチング素子Ｓ８を通る経路３８を流れる。期間Ｔ８において、電力変換装置１は一次側と二次側とで電流の経路が分離されるので、無効電力は電力変換装置１の一次側に回生されず、二次側だけで消費される。
【０１１０】
期間Ｔ８において、第１スイッチング素子Ｓ５はオン制御されているが、第１ダイオードＤ５が逆バイアス状態なので、電流は第１ダイオードＤ５を流れることができない。従って、第１スイッチング素子Ｓ５がオン制御されていても、電流は第１スイッチング素子Ｓ５を流れない。
【０１１１】
以上の通り、（２）で示す電力回生モードにおいてトランス電圧Ｖ１が負の場合、制御部７は、第１スイッチング素子Ｓ５に電流が流れている状態から流れていない状態にシフトさせる制御（位相シフト）をし、かつ、第３スイッチング素子Ｓ７に電流が流れていない状態から流れている状態にシフトさせる制御（位相シフト）をする。
【０１１２】
図１１は、（３）で示す電力供給モードにおいてトランス電圧Ｖ１が正の場合のサイクロコンバータ１１の動作を説明する説明図である。図５及び図１１を参照して、制御部７は、負群コンバータを構成するスイッチング素子のうち、第５スイッチング素子Ｓ９に対して、オン制御してもよいし、オフ制御してもよい。図５では、第５スイッチング素子Ｓ９をオフ制御する例が示されている。制御部７は、第６スイッチング素子Ｓ１０に対して、オフ制御からオン制御に切り替える。制御部７は、第７スイッチング素子Ｓ１１及び第８スイッチング素子Ｓ１２に対して、常時、オン制御する。
【０１１３】
制御部７は、正群コンバータを構成する第１〜第４スイッチング素子Ｓ５〜Ｓ８に対して、常時、オフ制御をする。
【０１１４】
なお、第６スイッチング素子Ｓ１０の動作と第７スイッチング素子Ｓ１１の動作を入れ替えてもよい。すなわち、制御部７は、第６スイッチング素子Ｓ１０に対して、常時、オン制御し、第７スイッチング素子Ｓ１１に対して、オフ制御からオン制御に切り替える。
【０１１５】
第６スイッチング素子Ｓ１０がオフ制御されている期間Ｔ１のとき、電力変換装置１の二次側の電流は、第８スイッチング素子Ｓ１２、商用電力系統２７及び第７スイッチング素子Ｓ１１を通る経路３９を流れる。期間Ｔ１において、電力変換装置１は一次側と二次側とで電流の経路が分離される。そのため、トランス電流ｉ１が０となる。よって、電流供給モードにおいて、無効電力は電力変換装置１の一次側に回生されず、二次側だけで消費されるので、電力ロスを低下できる。
【０１１６】
第６スイッチング素子Ｓ１０がオフ制御からオン制御に切り替えられ、第６スイッチング素子Ｓ１０がオン制御されている期間Ｔ２のとき、電力変換装置１の二次側の電流は、第６スイッチング素子Ｓ１０、商用電力系統２７及び第７スイッチング素子Ｓ１１を通る経路４０を流れる。期間Ｔ２では、直流電源１７からの電力が、商用電力系統２７に供給される。期間Ｔ２において、第８スイッチング素子Ｓ１２はオン制御されているが、第８ダイオードＤ１２が逆バイアス状態なので、電流は第８ダイオードＤ１２を流れることができない。従って、第８スイッチング素子Ｓ１２がオン制御されていても、電流は第８スイッチング素子Ｓ１２を流れない。なお、（３）で示す電力供給モードのとき、出力電圧Ｖｏは負となる。
【０１１７】
以上の通り、（３）で示す電力供給モードにおいてトランス電圧Ｖ１が正の場合、制御部７は、第６スイッチング素子Ｓ１０に電流が流れていない状態から流れている状態にシフトさせる制御（位相シフト）をする。
【０１１８】
図１２は、（３）で示す電力供給モードにおいてトランス電圧Ｖ１が負の場合のサイクロコンバータ１１の動作を説明する説明図である。図５及び図１２を参照して、制御部７は、負群コンバータを構成するスイッチング素子のうち、第５スイッチング素子Ｓ９に対して、オフ制御からオン制御に切り替える。制御部７は、第６スイッチング素子Ｓ１０に対して、オン制御してもよいし、オフ制御してもよい。図５では、第６スイッチング素子Ｓ１０をオフ制御する例が示されている。制御部７は、第７スイッチング素子Ｓ１１及び第８スイッチング素子Ｓ１２に対して、常時、オン制御する。
【０１１９】
制御部７は、正群コンバータを構成する第１〜第４スイッチング素子Ｓ５〜Ｓ８に対して、常時、オフ制御をする。
【０１２０】
なお、第５スイッチング素子Ｓ９の動作と第８スイッチング素子Ｓ１２の動作を入れ替えてもよい。すなわち、制御部７は、第５スイッチング素子Ｓ９に対して、常時、オン制御し、第８スイッチング素子Ｓ１２に対して、オフ制御からオン制御に切り替えてもよい。
【０１２１】
第５スイッチング素子Ｓ９がオフ制御されている期間Ｔ３のとき、電力変換装置１の二次側の電流は、第８スイッチング素子Ｓ１２、商用電力系統２７及び第７スイッチング素子Ｓ１１を通る経路４１を流れる。期間Ｔ３において、電力変換装置１は、一次側と二次側とで電流の経路が分離される。そのため、トランス電流ｉ１が０となる。よって、電流供給モードにおいて、無効電力は電力変換装置１の一次側に回生されず、二次側だけで消費されるので、電力ロスを低下できる。
【０１２２】
第５スイッチング素子Ｓ９がオフ制御からオン制御に切り替えられ、第５スイッチング素子Ｓ９がオン制御されている期間Ｔ４のとき、電力変換装置１の二次側の電流は、第８スイッチング素子Ｓ１２、商用電力系統２７及び第５スイッチング素子Ｓ９を通る経路４２を流れる。期間Ｔ４では、直流電源１７からの電力が、商用電力系統２７に供給される。期間Ｔ４において、第７スイッチング素子Ｓ１１はオン制御されているが、第７ダイオードＤ１１が逆バイアス状態なので、電流は第７ダイオードＤ１１を流れることができない。従って、第７スイッチング素子Ｓ１１がオン制御されていても、電流は第７スイッチング素子Ｓ１１を流れない。
【０１２３】
以上の通り、（３）で示す電力供給モードにおいてトランス電圧Ｖ１が負の場合、制御部７は、第５スイッチング素子Ｓ９に電流が流れていない状態から流れている状態にシフトさせる制御（位相シフト）をする。
【０１２４】
図１３は、（４）で示す電力回生モードにおいてトランス電圧Ｖ１が正の場合のサイクロコンバータ１１の動作を説明する説明図である。図６及び図１３を参照して、制御部７は、負群コンバータを構成するスイッチング素子のうち、第５スイッチング素子Ｓ９に対して、オン制御する。制御部７は、第６スイッチング素子Ｓ１０に対してオフ制御する。制御部７は、第７スイッチング素子Ｓ１１に対して、オフ制御からオン制御に切り替える。制御部７は、第８スイッチング素子Ｓ１２に対してオン制御する。
【０１２５】
制御部７は、正群コンバータを構成する第１〜第４スイッチング素子Ｓ５〜Ｓ８に対して、常時、オフ制御をする。
【０１２６】
第７スイッチング素子Ｓ１１がオフ制御されている期間Ｔ５のとき、電力変換装置１の二次側の電流は、第８スイッチング素子Ｓ１２、商用電力系統２７及び第５スイッチング素子Ｓ９を通る経路４３を流れる。期間Ｔ５において、商用電力系統２７からの電力が、直流電源１７に回生される。なお、（４）で示す電力回生モードの場合、出力電圧Ｖｏは正となる。
【０１２７】
第７スイッチング素子Ｓ１１がオフ制御からオン制御に切り替えられ、第７スイッチング素子Ｓ１１がオン制御されている期間Ｔ６のとき、電力変換装置１の二次側の電流は、第８スイッチング素子Ｓ１２、商用電力系統２７及び第７スイッチング素子Ｓ１１を通る経路４４を流れる。期間Ｔ６において、電力変換装置１は一次側と二次側とで電流の経路が分離されるので、無効電力は電力変換装置１の一次側に回生されず、二次側だけで消費される。
【０１２８】
期間Ｔ６において、第５スイッチング素子Ｓ９はオン制御されているが、第５ダイオードＤ９が逆バイアス状態なので、電流は第５ダイオードＤ９を流れることができない。従って、第５スイッチング素子Ｓ９がオン制御されていても、電流は第５スイッチング素子Ｓ９を流れない。
【０１２９】
以上の通り、（４）で示す電力回生モードにおいてトランス電圧Ｖ１が正の場合、制御部７は、第５スイッチング素子Ｓ９に電流が流れている状態から流れていない状態にシフトさせる制御（位相シフト）をし、かつ、第７スイッチング素子Ｓ１１に電流が流れていない状態から流れている状態にシフトさせる制御（位相シフト）をする。
【０１３０】
図１４は、（４）で示す電力回生モードにおいてトランス電圧Ｖ１が負の場合のサイクロコンバータ１１の動作を説明する説明図である。図６及び図１４を参照して、制御部７は、負群コンバータを構成するスイッチング素子のうち、第５スイッチング素子Ｓ９に対してオフ制御する。制御部７は、第６スイッチング素子Ｓ１０及び第７スイッチング素子Ｓ１１に対して、オン制御する。制御部７は、第８スイッチング素子Ｓ１２に対して、オフ制御からオン制御に切り替える。
【０１３１】
制御部７は、正群コンバータを構成する第１〜第４スイッチング素子Ｓ５〜Ｓ８に対して、常時、オフ制御をする。
【０１３２】
第８スイッチング素子Ｓ１２がオフ制御されている期間Ｔ７のとき、電力変換装置１の二次側の電流は、第６スイッチング素子Ｓ１０、商用電力系統２７及び第７スイッチング素子Ｓ１１を通る経路４５を流れる。期間Ｔ７において、商用電力系統２７からの電力が、直流電源１７に回生される。
【０１３３】
第８スイッチング素子Ｓ１２がオフ制御からオン制御に切り替えられ、第８スイッチング素子Ｓ１２がオン制御されている期間Ｔ８のとき、電力変換装置１の二次側の電流は、第８スイッチング素子Ｓ１２、商用電力系統２７及び第７スイッチング素子Ｓ１１を通る経路４６を流れる。期間Ｔ８において、電力変換装置１は一次側と二次側とで電流の経路が分離されるので、無効電力は電力変換装置１の一次側に回生されず、二次側だけで消費される。
【０１３４】
期間Ｔ８において、第６スイッチング素子Ｓ１０はオン制御されているが、第６ダイオードＤ１０が逆バイアス状態なので、電流は第６ダイオードＤ１０を流れることができない。従って、第６スイッチング素子Ｓ１０がオン制御されていても、電流は第６スイッチング素子Ｓ１０を流れない。
【０１３５】
以上の通り、（４）で示す電力回生モードにおいてトランス電圧Ｖ１が負の場合、制御部７は、第６スイッチング素子Ｓ１０に電流が流れている状態から流れていない状態にシフトさせる制御（位相シフト）をし、かつ、第８スイッチング素子Ｓ１２に電流が流れていない状態から流れている状態にシフトさせる制御（位相シフト）をする。
【０１３６】
以上が、図２の表で示す電力変換装置１の動作である。
【０１３７】
図５を参照して、第１オン時点Ｔｏｎ１とは、第１スイッチング素子Ｓ５及び第６スイッチング素子Ｓ１０が、トランス電圧Ｖ１（二次巻線２１の電圧）が正である第１期間において、オフからオンに切り替わる時点である。第２オン時点Ｔｏｎ２とは、第２スイッチング素子Ｓ６及び第５スイッチング素子Ｓ９が、第１期間に続くトランス電圧Ｖ１（二次巻線２１の電圧）が負である第２期間において、オフからオンに切り替わる時点である。
【０１３８】
図６を参照して、第３オン時点Ｔｏｎ３とは、第１スイッチング素子Ｓ５及び第６スイッチング素子Ｓ１０が、上記第１期間において、オフからオンに切り替わる時点である。第４オン時点Ｔｏｎ４とは、第４スイッチング素子Ｓ８及び第７スイッチング素子Ｓ１１が、第１期間で、かつ、第３オン時点Ｔｏｎ３よりも前において、オフからオンに切り替わる時点である。第５オン時点Ｔｏｎ５とは、第２スイッチング素子Ｓ６及び第５スイッチング素子Ｓ９が、上記第２期間において、オフからオンに切り替わる時点である。第６オン時点Ｔｏｎ６とは、第２スイッチング素子Ｓ７及び第８スイッチング素子Ｓ１２が、第２期間で、かつ、第５オン時点Ｔｏｎ５よりも前において、オフからオンに切り替わる時点である。
【０１３９】
図６を、電力回生モードの一例のタイムチャートとする。図１５は、電力回生モードの他の例のタイムチャートである。すなわち、図１５は、非対称制御をしたとき、図４に示す期間Ｔ１２での電力回生モードの他の例のタイムチャートである。
【０１４０】
図１５を参照して、第３オン時点Ｔｏｎ３とは、第１スイッチング素子Ｓ５及び第６スイッチング素子Ｓ１０が、上記第２期間において、オフからオンに切り替わる時点である。第３オフ時点Ｔｏｆｆ３とは、第１スイッチング素子Ｓ５及び第６スイッチング素子Ｓ１０が、第３オン時点Ｔｏｎ３後、第２期間において、オンからオフに切り替わる時点である。
【０１４１】
第５オン時点Ｔｏｎ５とは、第２スイッチング素子Ｓ６及び第５スイッチング素子Ｓ９を、上記第３期間において、オフからオンに切り替わる時点である。第５オフ時点Ｔｏｆｆ５とは、第２スイッチング素子Ｓ６及び第５スイッチング素子Ｓ９を、第５オン時点Ｔｏｎ５より前の第１期間において、オンからオフに切り替わる時点である。
【０１４２】
第６オン時点Ｔｏｎ６とは、第３スイッチング素子Ｓ７及び第８スイッチング素子Ｓ１２を、第２期間で、かつ、第３オフ時点Ｔｏｆｆ３よりも前において、オフからオンに切り替わる時点である。
【０１４３】
第４オン時点Ｔｏｎ４とは、第４スイッチング素子Ｓ８及び第７スイッチング素子Ｓ１１を、第１期間で、かつ、第５オフ時点Ｔｏｆｆ５よりも前において、オフからオンに切り替わる時点である。第４オフ時点Ｔｏｆｆ４とは、第４スイッチング素子Ｓ８及び第７スイッチング素子Ｓ１１が、第５オン時点Ｔｏｎ５よりも後において、オンからオフに切り替わる時点である。
【０１４４】
第６オフ時点Ｔｏｆｆ６とは、第３スイッチング素子Ｓ７及び第８スイッチング素子Ｓ１２が、第６オン時点Ｔｏｎ６よりも前で、かつ、第３オン時点Ｔｏｎ３よりも後において、オンからオフに切り替わる時点である。
【０１４５】
制御部７は、一次側のスイッチング素子Ｓ１〜Ｓ４がオンからオフに切り替わるタイミング、及び、オフからオンに切り替わるタイミングを固定し、そして、第１オン時点Ｔｏｎ１、第２オン時点Ｔｏｎ２、第４オン時点Ｔｏｎ４及び第６オン時点Ｔｏｎ６を、αで示すように、シフトさせることにより、出力電圧Ｖｏまたは出力電流ｉｏの少なくとも一方の振幅を制御する。
【０１４６】
制御部７は、直流電源１７と商用電力系統２７とを接続して運転（系統連系運転）をする場合、出力電流ｉｏの振幅を制御し、直流電源１７と負荷２９とを接続して運転（自立運転）をする場合、出力電圧Ｖｏの振幅及び出力電流ｉｏの振幅を制御する。以降、出力電圧Ｖｏの振幅及び出力電流ｉｏの振幅を制御する例で説明する。
【０１４７】
詳しく説明すると、図５に示す電力供給モードにおいて、αで示す期間を短くすると、出力電圧Ｖｏの振幅及び出力電流ｉｏの振幅が大きくなり、αで示す期間を長くすると、出力電圧Ｖｏの振幅及び出力電流ｉｏの振幅が小さくなる。図６及び図１５に示す電力回生モードにおいて、αで示す期間を短くすると、出力電圧Ｖｏの振幅及び出力電流ｉｏの振幅が小さくなり、αで示す期間を長くすると、出力電圧Ｖｏの振幅及び出力電流ｉｏの振幅が大きくなる。
【０１４８】
なお、制御部７は、第１オン時点Ｔｏｎ１又は第２オン時点Ｔｏｎ２のうち少なくともいずれか一方を、αで示すように、シフトさせることにより、出力電圧Ｖｏの振幅及び出力電流ｉｏの振幅を制御してもよい。また、制御部７は、第４オン時点Ｔｏｎ４又は第６オン時点Ｔｏｎ６のうち少なくともいずれか一方を、αで示すように、シフトさせることにより、出力電圧Ｖｏの振幅及び出力電流ｉｏの振幅を制御してもよい。
【０１４９】
図５、図６及び図１５に示すように、制御部７は、正群コンバータを動作させる場合、第１スイッチング素子Ｓ５と第４スイッチング素子Ｓ８との組を非対称に制御し、第２スイッチング素子Ｓ６と第３スイッチング素子Ｓ７との組を非対称に制御し、負群コンバータを動作させる場合、第６スイッチング素子Ｓ１０と第７スイッチング素子Ｓ１１との組を非対称に制御し、第５スイッチング素子Ｓ９と第８スイッチング素子Ｓ１２との組を非対称に制御している。これを、非対称制御と称する。制御部７が、これらの組をそれぞれ、対称に制御してもよい。これを対称制御と称する。非対称に制御するとは、言い換えれば、異なる制御をすることであり、対称に制御するとは、言い換えれば、同じ制御をすることである。
【０１５０】
対称制御において、図３に示す期間Ｔ１０での電力供給モードのタイムチャートを図１６で示し、図４に示す期間Ｔ１２での電力回生モードのタイムチャートを図１７で示す。図５、図６及び図１５に示すタイムチャートと比べて、制御部７は、正群コンバータを動作させる場合、第１スイッチング素子Ｓ５と第４スイッチング素子Ｓ８との組を対称に制御し、第２スイッチング素子Ｓ６と第３スイッチング素子Ｓ７との組を対称に制御し、負群コンバータを動作させる場合、第６スイッチング素子Ｓ１０と第７スイッチング素子Ｓ１１との組を対称に制御し、第５スイッチング素子Ｓ９と第８スイッチング素子Ｓ１２との組を対称に制御している。
【０１５１】
対称制御の場合、電力供給モード及び電力回生モードのいずれのモードにおいても、直流電源１７から商用電力系統２７に電力を供給する期間と商用電力系統２７から直流電源１７に電力を回生する期間とが存在し、制御部７は、その比率を変えることにより、出力電圧Ｖｏの振幅及び出力電流ｉｏの振幅を制御する。
【０１５２】
このように、対称制御の場合、電力供給モードにおいて、トランス電圧Ｖ１の一周期中に、商用電力系統２７から直流電源１７に電力を回生する期間が発生し、電力回生モードにおいて、トランス電圧Ｖ１の一周期中に、直流電源１７から商用電力系統２７に電力を供給する期間が発生する。これらは、電力のロスとなる。
【０１５３】
これに対して、図５、図６及び図１５に示す非対称制御の場合、電力供給モードにおいて、トランス電圧Ｖ１の一周期中に、商用電力系統２７から直流電源１７に電力を回生する期間が発生しない。電力回生モードにおいて、トランス電圧Ｖ１の一周期中に、直流電源１７から商用電力系統２７に電力を供給する期間が発生するが、この期間は極めて短く、又は、発生しない。従って、非対称制御は、対称制御と比べて、無駄な回生電流または供給電流をなくすことができるので、高効率な電力変換を実現できる。
【０１５４】
なお、非対称制御から対称制御への切り替え、及び、対称制御から非対称制御への切り替えは、回路定数の最適化等を考慮しなければ、サイクロコンバータ１１を構成する第１スイッチング素子Ｓ５〜第８スイッチング素子Ｓ１２のそれぞれについて、オンオフ制御のタイミングを変更するだけで実現できる。
【０１５５】
特許文献１が示す系統連系インバータ装置によれば、一次側に電力が回生されず、自立運転時に、低力率負荷が系統連系インバータ装置に接続されたとき、回生電力を二次側で処理する。従って、上記系統連系インバータ装置では、直流電源１７が蓄電池の場合、蓄電池を充電することができない。
【０１５６】
本実施形態に係る電力変換装置１によれば、図６、図１５及び図１７で説明したように、商用電力系統２７から直流電源１７に電力を回生できるので、直流電源１７が蓄電池の場合、充電することができる。
【０１５７】
また、本実施形態に係る電力変換装置１によれば、インバータ回路５で生成された高周波電力を直流電力に変換することなく、サイクロコンバータ１１によって、直接、交流電力にする。従って、低損失かつ小型軽量の電力変換装置１を実現できる。
【０１５８】
次に、電力変換装置１の転流動作について説明する。図５、図６、図１５、図１６及び図１７に示すように、一次側のインバータ回路５において、上下アームの同時短絡を防止するために、デッドタイムが設けられている。すなわち、制御部７は、スイッチング素子Ｓ１とスイッチング素子Ｓ２とが同時にオン状態となることによって生じる短絡を防止するために、スイッチング素子Ｓ１のオン期間とスイッチング素子Ｓ２のオン期間とが重ならないようにしている。同様に、制御部７は、スイッチング素子Ｓ３とスイッチング素子Ｓ４とが同時にオン状態となることによって生じる短絡を防止するために、スイッチング素子Ｓ３のオン期間とスイッチング素子Ｓ４のオン期間とが重ならないようにしている。
【０１５９】
これに対して、二次側のサイクロコンバータ１１において、オーバーラッピングタイムが設けられている。すなわち、制御部７は、第１スイッチング素子Ｓ５のオン期間と第３スイッチング素子Ｓ７のオン期間とが重なる期間、第２スイッチング素子Ｓ６のオン期間と第４スイッチング素子Ｓ８のオン期間とが重なる期間、第６スイッチング素子Ｓ１０のオン期間と第８スイッチング素子Ｓ１２のオン期間とが重なる期間、及び、第５スイッチング素子Ｓ９のオン期間と第７スイッチング素子Ｓ１１のオン期間とが重なる期間を、それぞれ設けることにより、電力変換装置１の二次側に転流電流を発生させる。これを、図５に示す期間Ｔ２と、これに続く期間Ｔ９との回路動作を例にして説明する。
【０１６０】
図１８は、期間Ｔ２において、電力変換装置１の回路を流れる電流を示す回路図である。期間Ｔ２において、図７で説明したように、直流電源１７から商用電力系統２７に電力が供給されている。直流電源１７からの電流は、スイッチング素子Ｓ１、トランス９の一次巻線１９及びスイッチング素子Ｓ４を通る経路５１を流れている。これに応じて、二次側において、トランス９の二次巻線２１、第１ダイオードＤ５、第１スイッチング素子Ｓ５、商用電力系統２７、第４ダイオードＤ８、第４スイッチング素子Ｓ８を通る経路５２に、電流が流れる。期間Ｔ２において、第３スイッチング素子Ｓ７は、オン状態であるが、第３ダイオードＤ７が逆バイアス状態なので、電流は、第３スイッチング素子Ｓ７を流れない。
【０１６１】
図１９は、期間Ｔ９において、電力変換装置１の回路を流れる電流を示す回路図である。制御部７は、スイッチング素子Ｓ１，Ｓ４をオンからオフに切り替えることによって、期間Ｔ２から期間Ｔ９に遷移する。一次側において、ダイオードＤ２、一次巻線１９、ダイオードＤ３を通る経路５３に、電流が流れる。
【０１６２】
スイッチング素子Ｓ１，Ｓ４がオンからオフに切り替わることによって、トランス９の二次巻線２１の電圧（トランス電圧Ｖ１）の極性が反転するので、第３ダイオードＤ７が順バイアス状態となり、第１ダイオードＤ５が逆バイアス状態となる。これにより、二次側において、第１ダイオードＤ５及び第１スイッチング素子Ｓ５を流れる電流が、第３ダイオードＤ７及び第３スイッチング素子Ｓ７を流れる電流に切り替わる転流が生じる。
【０１６３】
期間Ｔ９において、第１スイッチング素子Ｓ５及び第３スイッチング素子Ｓ７をオンにした状態で、第１ダイオードＤ５及び第３ダイオードＤ７の特性を利用して転流するので、第１ダイオードＤ５及び第１スイッチング素子Ｓ５を流れる電流が、第３ダイオードＤ７及び第３スイッチング素子Ｓ７を流れる電流に、徐々に切り替わる。
【０１６４】
第１スイッチング素子Ｓ５をオンからオフに切り替えるタイミングは、転流が完了した後となるように、予め設定されている。従って、制御部７は、転流が完了した後、第１スイッチング素子Ｓ５をオンからオフに切り替える制御をする。
【０１６５】
以上の通り、本実施形態によれば、第３ダイオードＤ７に流れる電流がゼロのときに、第３ダイオードＤ７をターンオンできる。また、第１ダイオードＤ５に印加される電圧がゼロ、かつ、第１ダイオードＤ５に流れる電流がゼロのときに、第１ダイオードＤ５をターンオフすることができる。これにより、強制的に電流を遮断することによって、電流が流れる経路を変えるのではなく、ソフトスイッチングによって、電流が流れる経路を変えることができる。
【０１６６】
ソフトスイッチングを実現するために、電力変換装置１は、以下の構成を備える。制御部７が、第１スイッチングＳ５素子及び第３スイッチング素子Ｓ７の一方を通る経路から他方を通る経路に転流する制御をするときに、第１ダイオードＤ５及び第３ダイオードＤ７の一方が逆バイアス状態となり、かつ、他方が順バイアス状態となるように、第１ダイオードＤ５と第１スイッチングＳ５素子とが直列接続され、かつ、第３ダイオードＤ７と第３スイッチング素子Ｓ７とが直列接続されている。
【０１６７】
同様に、制御部７が、第２スイッチング素子Ｓ６及び第４スイッチング素子Ｓ８の一方を通る経路から他方を通る経路に転流する制御をするときに、第２ダイオードＤ６及び第４ダイオードＤ８の一方が逆バイアス状態となり、かつ、他方が順バイアス状態となるように、第２ダイオードＤ６と第２スイッチング素子Ｓ６とが直列接続され、かつ、第４ダイオードＤ８と第４スイッチング素子Ｓ８とが直列接続されている。
【０１６８】
次に、正群コンバータと負群コンバータとの切り替え制御について説明する。図２０は、図３に示す出力電流ｉｏがゼロクロスする期間Ｔ１１において、図５に示す非対称制御での正群コンバータ及び負群コンバータの動作のタイムチャートである。
【０１６９】
正群コンバータの動作中（オン）において、ＰＷＭ信号は、第１スイッチング素子Ｓ５、第２スイッチング素子Ｓ６、第３スイッチング素子Ｓ７及び第４スイッチング素子Ｓ８の二次側駆動信号を示す。負群コンバータの動作中（オン）において、ＰＷＭ信号は、第５スイッチング素子Ｓ９、第６スイッチング素子Ｓ１０、第７スイッチング素子Ｓ１１及び第８スイッチング素子Ｓ１２の二次側駆動信号を示す。
【０１７０】
電力供給期間は、例えば、図５の期間Ｔ２，Ｔ４で示すように、直流電源１７から商用電力系統２７に電力を供給する期間である。電力非供給期間は、例えば、期間Ｔ１，Ｔ３で示すように、直流電源１７から商用電力系統２７に電力を供給していない期間である。
【０１７１】
制御部７は、負群コンバータの動作を停止させた状態で、正群コンバータについて、ＰＷＭ信号の生成期間を徐々に短くする制御、すなわち、第１オン時点Ｔｏｎ１及び第２オン時点Ｔｏｎ２のタイミングを徐々に遅らせる制御をする。これにより、正の出力電流ｉｏは、徐々に小さくなり、０となる。その後、制御部７は、正群コンバータの動作を停止させた状態で、負群コンバータについて、ＰＷＭ信号の生成期間を徐々に長くする制御、すなわち、第１オン時点Ｔｏｎ１及び第２オン時点Ｔｏｎ２のタイミングを徐々に早くする制御をする。これにより、負の出力電流ｉｏは０から負の方向に徐々に大きくなる。
【０１７２】
図５のタイムチャートで示す期間は、トランス電圧Ｖ１の極性が切り替わる過渡的な期間（例えば、期間Ｔ９）を除いて、電力供給期間と電力非供給期間とで構成される。制御部７が、正群コンバータと負群コンバータとの切り替え制御を、電力供給期間で実行する場合について考察する。
【０１７３】
既に説明したように、図１８は、正群コンバータが動作している電力供給期間において、電力変換装置１の回路を流れる電流を示す回路図である。図２１は、制御部７が、正群コンバータから負群コンバータに切り替える制御をしているときに、電力変換装置１の回路を流れる電流を示す回路図である。
【０１７４】
この制御がされているとき、正群コンバータを構成する第１スイッチング素子Ｓ５及び第４スイッチング素子Ｓ８、並びに、負群コンバータを構成する第６スイッチング素子Ｓ１０及び第７スイッチング素子Ｓ１１がオン状態中に、第１ダイオードＤ５、第４ダイオードＤ８、第６ダイオードＤ１０及び第７ダイオードＤ１１が、順バイアス状態となる。
【０１７５】
これにより、第１ダイオードＤ５及び第１スイッチング素子Ｓ５を通る経路と、第６ダイオードＤ１０及び第６スイッチング素子Ｓ１０を通る経路とが導通状態となり、かつ、第４ダイオードＤ８及び第４スイッチング素子Ｓ８を通る経路と、第７ダイオードＤ１１及び第７スイッチング素子Ｓ１１を通る経路とが導通状態となる。この結果、二次側短絡が発生することによって、電力変換装置１の回路に大電流が流れ、回路が破壊する。よって、電力供給期間において、正群コンバータと負群コンバータとの切り替え制御は、実行することができない。
【０１７６】
そこで、制御部７は、電力非供給期間において、正群コンバータと負群コンバータとの切り替え制御を実行する。すなわち、制御部７は、出力電流ｉｏの極性を切り替えるタイミングを電力非供給期間に設定し、正群コンバータ及び負群コンバータに対して、電力変換装置１の二次側で短絡が発生しない予め定められた制御をする。
【０１７７】
この制御の一例を、図５及び図２２〜図２４を用いて説明する。図２２は、電力非供給期間において、正群コンバータから負群コンバータに切り替えられる直前の電力変換装置１の回路を流れる電流を示す回路図である。図２３は、電力非供給期間において、正群コンバータから負群コンバータに切り替え中の電力変換装置１の回路を流れる電流を示す回路図である。図２４は、電力非供給期間において、正群コンバータから負群コンバータに切り替えられた直後の電力変換装置１の回路を流れる電流を示す回路図である。
【０１７８】
図２２に示すように、制御部７は、スイッチング素子Ｓ１，Ｓ４をオン制御し、正群コンバータを構成するスイッチング素子のうち、第３スイッチング素子Ｓ７及び第４スイッチング素子Ｓ８をオン制御し、第１スイッチング素子Ｓ５及び第２スイッチング素子Ｓ６をオフ制御し、負群コンバータを構成する全てのスイッチング素子をオフ制御している。電力変換装置１の二次側において、第４ダイオードＤ８、第４スイッチング素子Ｓ８、第３ダイオードＤ７、及び、第３スイッチング素子Ｓ７、及び、商用電力系統２７を通る経路を、電流が流れている。
【０１７９】
次に、制御部７は、図２２に示す状態で、図２３に示すように、負群コンバータを構成するスイッチング素子のうち、第７スイッチング素子Ｓ１１及び第８スイッチング素子Ｓ１２をオン制御する。電流は、第４ダイオードＤ８、第４スイッチング素子Ｓ８、第３ダイオードＤ７、第３スイッチング素子Ｓ７、及び、商用電力系統２７を通る経路に加えて、第７ダイオードＤ１１、第７スイッチング素子Ｓ１１、第８ダイオードＤ１２及び第８スイッチング素子Ｓ１２を通る経路にも流れている。
【０１８０】
この状態を継続させると、第３ダイオードＤ７、第４ダイオードＤ８、第７ダイオードＤ１１及び第８ダイオードＤ１２のソフトスイッチングによって、第４ダイオードＤ８、第４スイッチング素子Ｓ８、第３ダイオードＤ７、及び、第３スイッチング素子Ｓ７を通る経路を流れる正の電流が徐々に小さくなり、第７ダイオードＤ１１、第７スイッチング素子Ｓ１１、第８ダイオードＤ１２、及び、第８スイッチング素子Ｓ１２を通る経路を流れる負の電流が徐々に大きくなる。
【０１８１】
第４ダイオードＤ８、第４スイッチング素子Ｓ８、第３ダイオードＤ７、及び、第３スイッチング素子Ｓ７を通る経路から、第７ダイオードＤ１１、第７スイッチング素子Ｓ１１、第８ダイオードＤ１２、及び、第８スイッチング素子Ｓ１２を通る経路に完全に切り替わった状態を、図２４に示す。電流は、商用電力系統２７、第７ダイオードＤ１１、第７スイッチング素子Ｓ１１、第８ダイオードＤ１２、及び、第８スイッチング素子Ｓ１２を通る経路を流れる。
【０１８２】
制御部７は、図２２〜図２４で示す期間中、第１スイッチング素子Ｓ５、第２スイッチング素子Ｓ６、第５スイッチング素子Ｓ９及び第６スイッチング素子Ｓ１０を常に、オフ制御している。よって、電力変換装置１の二次側で短絡が発生することなく、正群コンバータと負群コンバータとの切り替えを完了することができる。
【０１８３】
正群コンバータと負群コンバータとの切り替え制御の他の例（以下、切り替え制御の他の例）を説明する。図２５は、切り替え制御の他の例において、正群コンバータから負群コンバータに切り替えられるときに、各スイッチング素子に印加される制御信号の波形を示す波形図である。波形図の縦軸は、制御信号を示し、横軸は、時間を示す。正群コンバータから負群コンバータに切り替える直前の期間を、期間Ｔ２０とし、切り替え中の期間を、期間Ｔ２１とし、切り替え直後の期間を、期間Ｔ２２とする。
【０１８４】
図１及び図２５を参照して、スイッチング素子Ｓ１，Ｓ２，Ｓ３，Ｓ４は、期間Ｔ２０、期間Ｔ２１及び期間Ｔ２２で動作している。正群コンバータを構成する第１スイッチング素子Ｓ５、第２スイッチング素子Ｓ６、第３スイッチング素子Ｓ７及び第４スイッチング素子Ｓ８は、期間Ｔ２０及び期間Ｔ２１で動作しているが、期間Ｔ２２で動作が停止している。負群コンバータを構成する第５スイッチング素子Ｓ９、第６スイッチング素子Ｓ１０、第７スイッチング素子Ｓ１１及び第８スイッチング素子Ｓ１２は、期間Ｔ２０で動作が停止しているが、期間Ｔ２１及び期間Ｔ２２で動作している。
【０１８５】
図２６は、切り替え制御の他の例において、期間Ｔ２１での制御モードのタイムチャートである。一次側駆動信号、トランス電圧Ｖ１、トランス電流ｉ１、二次側駆動信号、出力電圧Ｖｏの意味は、図５を用いて既に説明している。制御部７が、スイッチング素子Ｓ２，Ｓ３をオン制御する一次側駆動信号を発生させる時点と、第１スイッチング素子Ｓ５及び第６スイッチング素子Ｓ１０をオン制御する二次側駆動信号を発生させる時点とは、同じにされているが、若干、ずれていてもよい。同様に、制御部７が、スイッチング素子Ｓ１，Ｓ４をオン制御する一次側駆動信号を発生させる時点と、第２スイッチング素子Ｓ６及び第５スイッチング素子Ｓ９をオン制御する二次側駆動信号を発生させる時点とは、同じにされているが、若干、ずれていてもよい。
【０１８６】
期間（０）、時点（１）〜時点（９）、及び、期間（１０）での電力変換装置１の動作について、図２６〜図３７を用いて説明する。図２７〜図３７において、接続部１５には、商用電力系統２７が接続されているとし、オン制御されているスイッチング素子を示す符号を点線で囲んでいる。
【０１８７】
図２７は、図１に示す電力変換装置１において、図２６に示す期間（０）のとき、オン状態のスイッチング素子を示す電力変換装置１の回路図である。図２６及び図２７を参照して、期間（０）において、制御部７は、スイッチング素子Ｓ２，Ｓ３をオン制御し、スイッチング素子Ｓ１，Ｓ４をオフ制御する。これにより、トランス電圧Ｖ１が負電圧にされている。
【０１８８】
期間（０）において、制御部７は、サイクロコンバータ１１を構成するスイッチング素子のうち、第１スイッチング素子Ｓ５、第４スイッチング素子Ｓ８、第６スイッチング素子Ｓ１０及び第７スイッチング素子Ｓ１１をオン制御し、残りのスイッチング素子をオフ制御する。
【０１８９】
図２８は、図１に示す電力変換装置１において、時点（１）のとき、オン状態のスイッチング素子を示す電力変換装置１の回路図である。時点（１）は、期間（０）が終了する時点である。図２６及び図２８を参照して、スイッチング素子Ｓ２，Ｓ３をオン制御からオフ制御に切り替える時点（２）が近づいてきたので、電力変換装置１の一次側と商用電力系統２７とを切り離す必要がある。そこで、時点（１）において、制御部７は、第３スイッチング素子Ｓ７及び第８スイッチング素子Ｓ１２をオフ制御からオン制御に切り替えて、交流用リアクトル（コイル２３）を充電モードにする。これにより、電力変換装置１の一次側と商用電力系統２７とを切り離すことができる。このとき、商用電力系統２７の電流は、正負のいずれの可能性もある。
【０１９０】
図２９は、図１に示す電力変換装置１において、時点（２）のとき、オン状態のスイッチング素子を示す電力変換装置１の回路図である。時点（２）は、時点（１）の後である。図２６及び図２９を参照して、制御部７は、スイッチング素子Ｓ２，Ｓ３をオン制御からオフ制御に切り替え、かつ、第１スイッチング素子Ｓ５及び第６スイッチング素子Ｓ１０をオン制御からオフ制御に切り替える。これにより、トランス電圧Ｖ１を反転させる準備をする。
【０１９１】
図３０は、図１に示す電力変換装置１において、時点（３）のとき、オン状態のスイッチング素子を示す電力変換装置１の回路図である。時点（３）は、時点（２）の後である。図２６及び図３０を参照して、制御部７は、スイッチング素子Ｓ１，Ｓ４をオフ制御からオン制御に切り替え、かつ、第２スイッチング素子Ｓ６及び第５スイッチング素子Ｓ９をオフ制御からオン制御に切り替える。
【０１９２】
スイッチング素子Ｓ１，Ｓ４がオフ制御からオン制御に切り替えられることにより、トランス電圧Ｖ１が反転する。
【０１９３】
第２スイッチング素子Ｓ６及び第５スイッチング素子Ｓ９がオフ制御からオン制御に切り替えられることにより、交流用リアクトル（コイル２３）への充電経路が確保される。トランス電圧Ｖ１が商用電力系統２７の電圧より大きいので、第２スイッチング素子Ｓ６及び第５スイッチング素子Ｓ９は逆バイアス状態となる。
【０１９４】
図３１は、図１に示す電力変換装置１において、時点（４）のとき、オン状態のスイッチング素子を示す電力変換装置１の回路図である。時点（４）は、時点（３）の後である。図２６及び図３１を参照して、制御部７は、第４スイッチング素子Ｓ８及び第７スイッチング素子Ｓ１１をオン制御からオフ制御に切り替える。これにより、交流用リアクトル（コイル２３）に蓄積されているエネルギーが開放されるモードになる。
【０１９５】
商用電力系統２７の電圧の正負に応じて、交流用リアクトル（コイル２３）に蓄積されているエネルギーが開放されることにより生じる電流の正負が異なる。正電流であれば、この電流は、第３ダイオードＤ７、第３スイッチング素子Ｓ７、コイル２３、商用電力系統２７、第２ダイオードＤ６、及び、第２スイッチング素子Ｓ６により構成される経路を流れる。負電流であれば、この電流は、第８ダイオードＤ１２、第８スイッチング素子Ｓ１２、商用電力系統２７、コイル２３、第５ダイオードＤ９、及び、第５スイッチング素子Ｓ９により構成される経路に流れる。
【０１９６】
図３２は、図１に示す電力変換装置１において、期間（５）のとき、オン状態のスイッチング素子を示す電力変換装置１の回路図である。期間（５）が開始する時点は、時点（４）である。図２６及び図３２を参照して、制御部７が、オン制御しているスイッチング素子は、時点（４）において、オン制御しているスイッチング素子と同じである。
【０１９７】
交流用リアクトル（コイル２３）にエネルギーが蓄積される期間は、時点（１）〜時点（４）までの期間なので、極めて短い。従って、交流用リアクトル（コイル２３）に蓄積されているエネルギーは、直ちにゼロ（Ｖｄ＝０）となるので、トランス電流ｉ１を０の状態にすることができる。
【０１９８】
図３３は、図１に示す電力変換装置１において、時点（６）のとき、オン状態のスイッチング素子を示す電力変換装置１の回路図である。時点（６）は、期間（５）が終了する時点である。図２６及び図３３を参照して、スイッチング素子Ｓ１，Ｓ４をオン制御からオフ制御に切り替える時点（７）が近づいてきたので、電力変換装置１の一次側と商用電力系統２７とを切り離す必要がある。そこで、時点（６）において、制御部７は、第４スイッチング素子Ｓ８及び第７スイッチング素子Ｓ１１をオフ制御からオン制御に切り替えて、交流用リアクトル（コイル２３）を充電モードにする。これにより、電力変換装置１の一次側と商用電力系統２７とを切り離すことができる。このとき、商用電力系統２７の電流は、正負のいずれの可能性もある。
【０１９９】
図３４は、図１に示す電力変換装置１において、時点（７）のとき、オン状態のスイッチング素子を示す電力変換装置１の回路図である。時点（７）は、時点（６）の後である。図２６及び図３４を参照して、制御部７は、スイッチング素子Ｓ１，Ｓ４をオン制御からオフ制御に切り替え、かつ、第２スイッチング素子Ｓ６及び第５スイッチング素子Ｓ９をオン制御からオフ制御に切り替える。これにより、トランス電圧Ｖ１を反転させる準備をする。
【０２００】
図３５は、図１に示す電力変換装置１において、時点（８）のとき、オン状態のスイッチング素子を示す電力変換装置１の回路図である。時点（８）は、時点（７）の後である。図２６及び図３５を参照して、制御部７は、スイッチング素子Ｓ２，Ｓ３をオフ制御からオン制御に切り替え、かつ、第１スイッチング素子Ｓ５及び第６スイッチング素子Ｓ１０をオフ制御からオン制御に切り替える。
【０２０１】
スイッチング素子Ｓ２，Ｓ３がオフ制御からオン制御に切り替えられることにより、トランス電圧Ｖ１が反転する。
【０２０２】
第１スイッチング素子Ｓ５及び第６スイッチング素子Ｓ１０がオフ制御からオン制御に切り替えられることにより、交流用リアクトル（コイル２３）への充電経路が確保される。トランス電圧Ｖ１が商用電力系統２７の電圧より小さいので、第１スイッチング素子Ｓ５及び第６スイッチング素子Ｓ１０は逆バイアス状態となる。
【０２０３】
図３６は、図１に示す電力変換装置１において、時点（９）のとき、オン状態のスイッチング素子を示す電力変換装置１の回路図である。時点（９）は、時点（８）の後である。図２６及び図３６を参照して、制御部７は、第３スイッチング素子Ｓ７及び第８スイッチング素子Ｓ１２をオン制御からオフ制御に切り替える。これにより、交流用リアクトル（コイル２３）に蓄積されているエネルギーが開放されるモードになる。
【０２０４】
商用電力系統２７の電圧の正負に応じて、交流用リアクトル（コイル２３）に蓄積されているエネルギーが開放されることにより生じる電流の正負が異なる。正電流であれば、この電流は、第１ダイオードＤ５、第１スイッチング素子Ｓ５、コイル２３、商用電力系統２７、第４ダイオードＤ８、及び、第４スイッチング素子Ｓ８により構成される経路を流れる。負電流であれば、この電流は、第６ダイオードＤ１０、第６スイッチング素子Ｓ１０、商用電力系統２７、コイル２３、第７ダイオードＤ１１、及び、第７スイッチング素子Ｓ１１により構成される経路に流れる。
【０２０５】
図３７は、図１に示す電力変換装置１において、期間（１０）のとき、オン状態のスイッチング素子を示す電力変換装置１の回路図である。期間（１０）が開始する時点は、時点（９）である。図２６及び図３７を参照して、制御部７が、オン制御しているスイッチング素子は、時点（９）において、オン制御しているスイッチング素子と同じである。
【０２０６】
交流用リアクトル（コイル２３）にエネルギーが蓄積される期間は、時点（６）〜時点（９）までの期間なので、極めて短い。従って、交流用リアクトル（コイル２３）に蓄積されているエネルギーは、直ちにゼロ（Ｖｄ＝０）となるので、トランス電流ｉ１が０の状態にすることができる。
【０２０７】
このように、切り替え制御の他の例によれば、トランス電流ｉ１が０の期間を作り出すことができるので、二次側短絡が発生することなく、正群コンバータと負群コンバータとの切り替えをすることができる。
【０２０８】
以上説明したように、本実施形態によれば、出力電流ｉｏがゼロクロスするとき、出力電流ｉｏが正の場合に正群コンバータが動作するシーケンス（正期間制御シーケンス）、および、出力電流ｉｏが負の場合に負群コンバータが動作するシーケンス（負期間制御シーケンス）とは、異なる上記切替制御シーケンスを実行する。これにより、スムーズに出力電流ｉｏの極性を切り替えることができると共に、出力電流ｉｏの波形歪を最小限に抑えることができる。
【０２０９】
なお、正群コンバータと負群コンバータとを切り替える制御（切替制御シーケンス）は、上述した制御に限定されない。制御部７は、電力非供給期間中に、正群コンバータ及び負群コンバータに対して、電力変換装置１の二次側で短絡が発生しない制御であれば、その制御を適用することができる。
【０２１０】
切替制御シーケンスを実行するには、出力電流ｉｏの値を監視する必要がある。図３８は、図１に示す電力変換装置１の第１変形例の回路図である。第１変形例に係る電力変換装置１ａについて、図１に示す電力変換装置１との相違点を説明する。
【０２１１】
電力変換装置１ａは、電圧センサー７１，７５及び電流センサー７３，７７を備える。電圧センサー７１は、フィルタ回路１３のコンデンサ２５の一端と他端とに接続され、コンデンサ２５に入力される電圧を、出力電圧Ｖｏとして測定する。電流センサー７３は、接続部１５の第１端１５ａとフィルタ回路１３との間に挿入され、ここを流れる電流を出力電流ｉｏとして測定する。
【０２１２】
電圧センサー７５は、直流電源１７の電圧を測定する。電流センサー７７は、直流電源１７と接続部３との間に挿入され、直流電源１７の電流を測定する。
【０２１３】
制御部７は、電流センサー７３によって測定されている出力電流ｉｏの値を監視し、その値がゼロ付近の予め定められた値に到達したと判定したとき、切替制御シーケンスを実行する。
【０２１４】
なお、制御部７が出力電圧Ｖｏを監視するのは、後で説明するように、電力供給モードと電力回生モードとの切り替え制御をするためである。
【０２１５】
直流電源１７の電圧及び電流が、それぞれ所定値から外れると、出力電圧Ｖｏの振幅を所望の値に制御できない。そこで、制御部７は、電圧センサー７５及び電流センサー７７を用いて、直流電源１７の電圧及び電流の値を監視する。しかしながら、制御部７が、出力電圧Ｖｏ、直流電源１７の電圧及び電流の値を監視することなく、出力電流ｉｏの値を監視するだけでも、切替制御シーケンスを実行することができる。また、系統連系時のように電圧が既知の場合、内部の電流指令値によっても切替制御シーケンスを実行することができる。
【０２１６】
次に、電力供給モードと電力回生モードとの切り替え制御について説明する。図３９は、電力供給モードと電力回生モードとの切り替え制御を説明する説明図である。図３で説明したように、出力電圧Ｖｏと出力電流ｉｏとの位相差が０°（すなわち、力率が１）の場合、電力回生モードがなく、電力供給モードのみとなる。図４で説明したように、出力電圧Ｖｏと出力電流ｉｏとの位相差が１８０°（すなわち、力率が０）の場合、電力供給モードがなく、電力回生モードのみとなる。
【０２１７】
出力電圧Ｖｏと出力電流ｉｏとの位相差が、０°及び１８０°と異なるとき、図３９で示すように、商用電力系統２７の１周期内において、出力電圧Ｖｏと出力電流ｉｏとの極性が同じ期間Ｔ１５と、その極性が異なる期間Ｔ１６とが交互に発生する。図３９は、出力電圧Ｖｏと出力電流ｉｏとの位相差が９０°の例を示している。
【０２１８】
期間Ｔ１５と期間Ｔ１６とが交互に発生する例として、系統連系運転から自立運転に切り替わったときに、負荷２９が低力率である場合（例えば、モーター）、または、系統連系運転時に商用電力系統２７の周波数が変動した場合がある。
【０２１９】
制御部７は、図３８に示す電圧センサー７１及び電流センサー７３によって測定されている値を監視し、出力電圧Ｖｏと出力電流ｉｏとの位相差が、０°及び１８０°と異なるかを判定する。制御部７は、出力電圧Ｖｏと出力電流ｉｏとの位相差が、０°及び１８０°と異なると判定したとき、出力電流ｉｏが正であれば、正群コンバータを動作させ、出力電流ｉｏが負であれば、負群コンバータを動作させる。制御部７は、正群コンバータと負群コンバータとの切り替えをするとき、上述した切替制御シーケンスを実行する。そして、制御部７は、期間Ｔ１５において、電力供給モードを実行し、期間Ｔ１６において、電力回生モードを実行する。
【０２２０】
電力変換装置１の第２変形例を説明する。図４０は、第２変形例の回路図である。第２変形例に係る電力変換装置１ｂについて、図１に示す電力変換装置１との相違点を説明する。電力変換装置１ｂは、チョッパ回路８１を備え、この回路は、インバータ回路５と接続端３との間に挿入されている。
【０２２１】
チョッパ回路８１は、電力供給モードにおいて昇圧動作をし、電力回生モードにおいて降圧動作をする昇降圧チョッパ回路である。制御部７は、チョッパ回路８１、正群コンバータを構成する第１スイッチング素子Ｓ５〜第４スイッチング素子Ｓ８、及び、負群コンバータを構成する第５スイッチング素子Ｓ９〜第８スイッチング素子Ｓ１２を制御することにより、出力電圧Ｖｏまたは出力電流ｉｏの少なくとも一方の振幅を制御する。
【０２２２】
第２変形例に係る電力変換装置１ｂによれば、チョッパ回路８１を備えることにより、電圧の変動幅の大きな直流電源１７にも柔軟に対応できる。例えば、ＥＶバッテリー、太陽電池、燃料電池が電圧の変動幅が大きい場合においても適用することができる。
【０２２３】
電力変換装置１の第３変形例を説明する。図４１は、第３変形例の回路図である。第３変形例に係る電力変換装置１ｃについて、図１に示す電力変換装置１との相違点を説明する。電力変換装置１ｃのインバータ回路５は、ロスレススナバキャパシタＣ１，Ｃ２，Ｃ３，Ｃ４、励磁インダクタンスＬ１，Ｌ２、及び、電解コンデンサＣ１００，Ｃ２００を備える。
【０２２４】
ロスレススナバキャパシタＣ１は、スイッチング素子Ｓ１のエミッタとコレクタとに接続されている。ロスレススナバキャパシタＣ２は、スイッチング素子Ｓ２のエミッタとコレクタとに接続されている。ロスレススナバキャパシタＣ３は、スイッチング素子Ｓ３のエミッタとコレクタとに接続されている。ロスレススナバキャパシタＣ４は、スイッチング素子Ｓ４のエミッタとコレクタとに接続されている。
【０２２５】
電解コンデンサＣ１００は、スイッチング素子Ｓ１のコレクタとスイッチング素子Ｓ２のエミッタとに接続されている。励磁インダクタンスＬ１は、電解コンデンサＣ１００と、スイッチング素子Ｓ１のエミッタ及びスイッチング素子Ｓ２のコレクタとに接続されている。
【０２２６】
電解コンデンサＣ２００は、スイッチング素子Ｓ３のコレクタとスイッチング素子Ｓ４のエミッタとに接続されている。励磁インダクタンスＬ２は、電解コンデンサＣ２００と、スイッチング素子Ｓ３のエミッタ及びスイッチング素子Ｓ４のコレクタとに接続されている。
【０２２７】
ロスレススナバキャパシタＣ１，Ｃ２，Ｃ３，Ｃ４、励磁インダクタンスＬ１，Ｌ２、及び、電解コンデンサＣ１００，Ｃ２００によって、インバータ回路５では、ソフトスイッチングが実現される。これにより、スイッチング素子Ｓ１，Ｓ２，Ｓ３，Ｓ４を保護することができる。
【０２２８】
（実施の形態２）
以下、実施の形態２における電力変換装置の構成が、説明される。なお、上述の実施の形態１と重複する説明は、適宜、省略される。
【０２２９】
実施の形態２における電力変換装置は、トランスと、インバータ回路と、接続部と、第１スイッチング素子と、第２スイッチング素子と、第３スイッチング素子と、第４スイッチング素子と、制御部と、を備える。
【０２３０】
トランスは、一次巻線と、一次巻線と磁気結合される二次巻線と、を含む。
【０２３１】
インバータ回路は、直流電源からの直流電圧を交流電圧に変換し、変換した交流電圧を一次巻線に供給する。
【０２３２】
接続部は、商用電力系統又は負荷の少なくとも一方と電気的に接続可能な第１端と第２端とを含む。
【０２３３】
第１スイッチング素子と、接続部の第１端と二次巻線の第１端との間に挿入される。
【０２３４】
第２スイッチング素子と、接続部の第２端と二次巻線の第１端との間に挿入される。
【０２３５】
第３スイッチング素子と、接続部の第１端と二次巻線の第２端との間に挿入される。
【０２３６】
第４スイッチング素子と、接続部の第２端と二次巻線の第２端との間に挿入される。
【０２３７】
制御部は、接続部から出力される出力電圧または出力電流の少なくとも一方の振幅を制御する。
【０２３８】
以上の構成については、実施の形態１で例示された具体的な構成が、適宜、用いられてもよい。
【０２３９】
実施の形態２における電力変換装置における制御部は、第１スイッチング素子と第４スイッチング素子との内の少なくとも一方を、二次巻線の電圧が正である第１期間におけるオン時点ＴｏｎＡにおいて、オフからオンに切り替える。
【０２４０】
また、実施の形態２における電力変換装置における制御部は、第２スイッチング素子と第３スイッチング素子との内の少なくとも一方を、第１期間に続く二次巻線の電圧が負である第２期間におけるオン時点ＴｏｎＢにおいて、オフからオンに切り替える。
【０２４１】
また、実施の形態２における電力変換装置における制御部は、オン時点ＴｏｎＡまたはオン時点ＴｏｎＢの内の少なくともいずれか一方をシフトさせることにより、出力電圧または出力電流の少なくとも一方の振幅を制御する。
【０２４２】
また、実施の形態２における電力変換装置における制御部は、第１スイッチング素子と第４スイッチング素子との内でオン時点ＴｏｎＡにてオフからオンに切り替えられたスイッチング素子を、第２期間に続く二次巻線の電圧が正である第３期間におけるオン時点ＴｏｎＣにおいて、オフからオンに切り替える。
【０２４３】
ここで、第１スイッチング素子と第２スイッチング素子との両方がオン状態である期間を第１循環期間と表記する。
【０２４４】
このとき、実施の形態２における電力変換装置における制御部は、オン時点ＴｏｎＡとオン時点ＴｏｎＢとの間、もしくは、オン時点ＴｏｎＢとオン時点ＴｏｎＣとの間の内の少なくともいずれか一方において、第１循環期間を生成する。
【０２４５】
以上の構成によれば、第３スイッチング素子と第４スイッチング素子とを用いて循環期間を生成するのみでなく、第１スイッチング素子と第２スイッチング素子とを用いて循環期間を生成できる。これにより、第１〜第４スイッチング素子の負担を分散することができる。これにより、第１〜第４スイッチング素子における発熱が低減される。したがって、電力変換の効率を高めることができる。
【０２４６】
ここで、第３スイッチング素子と第４スイッチング素子との両方がオン状態である期間を第２循環期間と表記する。
【０２４７】
このとき、実施の形態２における電力変換装置における制御部は、オン時点ＴｏｎＡとオン時点ＴｏｎＣとの間で、第１循環期間と第２循環期間との両方を生成してもよい。
【０２４８】
以上の構成によれば、第１〜第４スイッチング素子の負担を分散することができる。これにより、第１〜第４スイッチング素子における発熱が低減される。したがって、電力変換の効率を高めることができる。
【０２４９】
また、実施の形態２における電力変換装置における制御部は、第２スイッチング素子と第３スイッチング素子との内でオン時点ＴｏｎＢにてオフからオンに切り替えられたスイッチング素子を、第３期間に続く二次巻線の電圧が負である第４期間におけるオン時点ＴｏｎＤにおいて、オフからオンに切り替えてもよい。
【０２５０】
また、実施の形態２における電力変換装置における制御部は、オン時点ＴｏｎＡとオン時点ＴｏｎＢとの間、および、オン時点ＴｏｎＣとオン時点ＴｏｎＤとの間で、第１循環期間と第２循環期間との内の一方を生成し、オン時点ＴｏｎＢとオン時点ＴｏｎＣとの間で、第１循環期間と第２循環期間との内のもう一方を生成してもよい。
【０２５１】
以上の構成によれば、第１スイッチング素子と第２スイッチング素子とを用いた第１循環期間と、第３スイッチング素子と第４スイッチング素子とを用いた第２循環期間と、を交互に生成できる。これにより、第１〜第４スイッチング素子の負担をより分散することができる。さらに、スイッチング素子の容量成分とトランスにより、共振現象を発生させることができる。これにより、スイッチング素子に生じる電圧サージを抑制することができる。
【０２５２】
以上の実施の形態２における電力変換装置の動作を、以下、詳細に説明する。
【０２５３】
図４２は、出力電圧と出力電流との極性が同じである電力供給モードにおけるタイムチャートである。
【０２５４】
図４２に示される一例においては、上述した第１循環期間には、第１スイッチング素子Ｓ５と第２スイッチング素子Ｓ６との両方がオン状態である期間Ｔ１０２と期間Ｔ１０６とが、相当する。
【０２５５】
また、図４２に示される一例においては、上述した第２循環期間には、第３スイッチング素子Ｓ７と第４スイッチング素子Ｓ８との両方がオン状態である期間Ｔ１０４が、相当する。
【０２５６】
図４２に示される一例においては、オン時点ＴｏｎＡ１とオン時点ＴｏｎＣ１との間で、第１循環期間Ｔ１０２と第２循環期間Ｔ１０４との両方が生成されている。
【０２５７】
すなわち、図４２に示される一例においては、オン時点ＴｏｎＡ１とオン時点ＴｏｎＢ１との間において、第１循環期間Ｔ１０２が生成されている。また、オン時点ＴｏｎＢ１とオン時点ＴｏｎＣ１との間で、第２循環期間Ｔ１０４が生成されている。
【０２５８】
さらに、図４２に示される一例においては、オン時点ＴｏｎＣ１とオン時点ＴｏｎＤ１との間において、第１循環期間Ｔ１０６が生成されている。
【０２５９】
図４３は、図４２に示されるＰ１０１〜Ｐ１０４のタイミングにおける電流の流れを示す図である。
【０２６０】
図４２において、Ｐ１０１〜Ｐ１０４のそれぞれは、Ｔ１０１〜Ｔ１０４のそれぞれにおける一時点である。
【０２６１】
図４４は、出力電圧と出力電流との極性が異なる電力回生モードにおけるタイムチャートである。
【０２６２】
図４４に示される一例においては、上述した第１循環期間には、第１スイッチング素子Ｓ５と第２スイッチング素子Ｓ６との両方がオン状態である期間Ｔ２０２と期間Ｔ２０６とが、相当する。
【０２６３】
また、図４４に示される一例においては、上述した第２循環期間には、第３スイッチング素子Ｓ７と第４スイッチング素子Ｓ８との両方がオン状態である期間Ｔ２０４が、相当する。
【０２６４】
図４４に示される一例においては、オン時点ＴｏｎＡ２とオン時点ＴｏｎＣ２との間で、第１循環期間Ｔ２０２と第２循環期間Ｔ２０４との両方が生成されている。
【０２６５】
すなわち、図４４に示される一例においては、オン時点ＴｏｎＡ２とオン時点ＴｏｎＢ２との間において、第１循環期間Ｔ２０２が生成されている。また、オン時点ＴｏｎＢ２とオン時点ＴｏｎＣ２との間で、第２循環期間Ｔ２０４が生成されている。
【０２６６】
さらに、図４４に示される一例においては、オン時点ＴｏｎＣ２とオン時点ＴｏｎＤ２との間において、第１循環期間Ｔ２０６が生成されている。
【０２６７】
図４５は、図４４に示されるＰ２０１〜Ｐ２０４のタイミングにおける電流の流れを示す図である。
【０２６８】
図４４において、Ｐ２０１〜Ｐ２０４のそれぞれは、Ｔ２０１〜Ｔ２０４のそれぞれにおける一時点である。
【０２６９】
以上の図４３または図４５に示されるように、循環期間（非電力供給期間）において、第１スイッチング素子Ｓ５と第２スイッチング素子Ｓ６とを通過する経路１と、第３スイッチング素子Ｓ７と第４スイッチング素子Ｓ８とを通過する経路２とを、電流が通過するよう制御できている。これにより、循環期間（非電力供給期間）において、例えば、電流が経路２のみを繰り返し通過することがなくなる。この結果、第１〜第４スイッチング素子の負担を分散することができる。
【０２７０】
なお、上述の例に限られず、オン時点ＴｏｎＡとオン時点ＴｏｎＢとの間において、第２循環期間が生成されてもよい。また、オン時点ＴｏｎＢとオン時点ＴｏｎＣとの間で、第１循環期間が生成されてもよい。また、オン時点ＴｏｎＣとオン時点ＴｏｎＤとの間において、第２循環期間が生成されもよい。
【０２７１】
さらに、図４３または図４５に示されるように、経路１と経路２とを、交互に電流が通過するよう制御することで、スイッチング素子の容量成分とトランスにより、共振現象を発生させることができる。これにより、スイッチング素子に生じる電圧サージを抑制することができる。
【０２７２】
ここで、実施の形態２における電力変換装置は、第２スイッチング素子と第４スイッチング素子との内の少なくとも一方と直列接続されるコンデンサを備えていてもよい。
【０２７３】
以上の構成によれば、上述のコンデンサとトランスにより、共振現象を発生させることができる。これにより、スイッチング素子に生じる電圧サージをより抑制することができる。
【０２７４】
図４６は、上述のコンデンサを備える場合の構成の一例を示す回路図である。
【０２７５】
図４６に示される一例では、電力変換装置は、第２スイッチング素子Ｓ６と直列接続され、かつ、ダイオードＤ６と並列接続されるコンデンサＣ６を備える。さらに、電力変換装置は、第４スイッチング素子Ｓ８と直列接続され、かつ、ダイオードＤ８と並列接続されるコンデンサＣ８を備える。
【０２７６】
図４７は、コンデンサＣ６とコンデンサＣ８を備える電力変換装置におけるＰ１０１〜Ｐ１０４のタイミングにおける電流の流れを示す図である。
【０２７７】
図４７（ａ）に示されるように、第１スイッチング素子Ｓ５がオンされると、コンデンサＣ８が充電状態となる。その後、図４７（ｂ）に示されるように、第２スイッチング素子Ｓ６がオンされると、コンデンサＣ６が放電される。その後、図４７（ｃ）に示されるように、第３スイッチング素子Ｓ７がオンされると、コンデンサＣ６が充電状態となる。その後、図４７（ｄ）に示されるように、第４スイッチング素子Ｓ８がオンされると、コンデンサＣ８が放電される。
【０２７８】
以上のように、経路１と経路２とを、交互に電流が通過するよう制御することで、コンデンサＣ６とコンデンサＣ８とを放電させることができる。これにより、放電されたコンデンサＣ６とコンデンサＣ８とをそれぞれ用いて、スイッチング素子に生じる電圧サージを抑制することができる。
【０２７９】
なお、実施の形態２における電力変換装置は、第５スイッチング素子Ｓ９と、第６スイッチング素子Ｓ１０と、第７スイッチング素子Ｓ１１と、第８スイッチング素子Ｓ１２と、を備えていてもよい。
【０２８０】
第５スイッチング素子Ｓ９は、接続部の第１端と二次巻線の第１端との間に、第１スイッチング素子Ｓ５と並列に挿入される。第５スイッチング素子Ｓ９は、電流を流す方向が第１スイッチング素子Ｓ５と逆方向である。
【０２８１】
第６スイッチング素子Ｓ１０は、接続部の第２端と二次巻線の第１端との間に、第２スイッチング素子Ｓ６と並列に挿入される。第６スイッチング素子Ｓ１０は、電流を流す方向が第２スイッチング素子Ｓ６と逆方向である。
【０２８２】
第７スイッチング素子Ｓ１１は、接続部の第１端と二次巻線の第２端との間に、第３スイッチング素子Ｓ７と並列に挿入される。第７スイッチング素子Ｓ１１は、電流を流す方向が第３スイッチング素子Ｓ７と逆方向である。
【０２８３】
第８スイッチング素子Ｓ１２は、接続部の第２端と二次巻線の第２端との間に、第４スイッチング素子Ｓ８と並列に挿入される。第８スイッチング素子Ｓ１２は、電流を流す方向が第４スイッチング素子Ｓ８と逆方向である。
【０２８４】
このとき、実施の形態２における電力変換装置の制御部は、接続部から出力される出力電流が負である期間において、第１スイッチング素子Ｓ５に替えて第６スイッチング素子Ｓ１０を制御し、第２スイッチング素子Ｓ６に替えて第５スイッチング素子Ｓ９を制御し、第３スイッチング素子Ｓ７に替えて第８スイッチング素子Ｓ１２を制御し、第４スイッチング素子Ｓ８に替えて第７スイッチング素子Ｓ１１を制御することによって、出力電圧または出力電流の少なくとも一方の振幅を制御してもよい。
【０２８５】
このとき、実施の形態２における電力変換装置は、第５スイッチング素子Ｓ９と第７スイッチング素子Ｓ１１との内の少なくとも一方と直列接続されるコンデンサを備えてもよい。
【０２８６】
以上の構成によれば、接続部から出力される出力電流が負である期間においても、上述のコンデンサとトランスにより、共振現象を発生させることができる。これにより、スイッチング素子に生じる電圧サージを抑制することができる。
【０２８７】
図４６に示される一例では、電力変換装置は、第５スイッチング素子Ｓ９と直列接続され、かつ、ダイオードＤ９と並列接続されるコンデンサＣ９を備える。さらに、電力変換装置は、第７スイッチング素子Ｓ１１と直列接続され、かつ、ダイオードＤ１１と並列接続されるコンデンサＣ１１を備える。
【０２８８】
また、実施の形態２における電力変換装置は、二次巻線の第１端と第２端とに接続されるコンデンサを備えていてもよい。
【０２８９】
以上の構成によれば、上述のコンデンサとトランスにより、共振現象を発生させることができる。これにより、スイッチング素子に生じる電圧サージをより抑制することができる。
【０２９０】
図４８は、上述のコンデンサを備える場合の構成の一例を示す回路図である。
【０２９１】
図４８に示される一例では、電力変換装置は、二次巻線の第１端と第２端とに接続されるコンデンサＣ２１を備える。
【０２９２】
（実施の形態３）
以下、実施の形態３における電力変換装置の構成が、説明される。なお、上述の実施の形態１または実施の形態２と重複する説明は、適宜、省略される。
【０２９３】
図４９は、実施の形態３における電力変換装置２０００の概略構成を示す図である。
【０２９４】
実施の形態３における電力変換装置２０００は、トランスと、インバータ回路と、接続部と、第１スイッチング素子と、第２スイッチング素子と、第３スイッチング素子と、第４スイッチング素子と、制御部と、を備える。
【０２９５】
トランスは、一次巻線と、一次巻線と磁気結合される二次巻線と、を含む。
【０２９６】
インバータ回路は、直流電源からの直流電圧を交流電圧に変換し、変換した交流電圧を一次巻線に供給する。
【０２９７】
接続部は、商用電力系統又は負荷の少なくとも一方と電気的に接続可能な第１端（１５ａ）と第２端（１５ｂ）とを含む。
【０２９８】
第１スイッチング素子と、接続部の第１端と二次巻線の第１端との間に挿入される。
【０２９９】
第２スイッチング素子と、接続部の第２端と二次巻線の第１端との間に挿入される。
【０３００】
第３スイッチング素子と、接続部の第１端と二次巻線の第２端との間に挿入される。
【０３０１】
第４スイッチング素子と、接続部の第２端と二次巻線の第２端との間に挿入される。
【０３０２】
制御部は、接続部から出力される出力電圧または出力電流の少なくとも一方の振幅を制御する。
【０３０３】
以上の構成については、実施の形態１で例示された具体的な構成が、適宜、用いられてもよい。
【０３０４】
実施の形態３における電力変換装置２０００は、さらに、スイッチング素子Ｓａを備える。
【０３０５】
スイッチング素子Ｓａは、接続部の第１端と接続部の第２端との間に挿入される。
【０３０６】
図４９の構成においては、スイッチング素子Ｓ１３がスイッチング素子Ｓａに相当する。
【０３０７】
図４９の構成においては、電力変換装置２０００は、スイッチング素子Ｓ１３と直列に接続されるダイオードＤ１３を備える。
【０３０８】
また、図４９の構成においては、電力変換装置２０００は、接続部の第１端（１５ａ）とスイッチング素子Ｓａ（Ｓ１３）の第１端との間に挿入されるリアクトル（コイル２３）を備えている。
【０３０９】
実施の形態３における電力変換装置２０００における制御部は、第１スイッチング素子と第４スイッチング素子との内の少なくとも一方を、二次巻線の電圧が正である第１期間におけるオン時点ＴｏｎＡにおいて、オフからオンに切り替える。
【０３１０】
また、実施の形態３における電力変換装置２０００における制御部は、第２スイッチング素子と第３スイッチング素子との内の少なくとも一方を、第１期間に続く二次巻線の電圧が負である第２期間におけるオン時点ＴｏｎＢにおいて、オフからオンに切り替える。
【０３１１】
また、実施の形態３における電力変換装置２０００における制御部は、オン時点ＴｏｎＡまたはオン時点ＴｏｎＢの内の少なくともいずれか一方をシフトさせることにより、出力電圧または出力電流の少なくとも一方の振幅を制御する。
【０３１２】
また、実施の形態３における電力変換装置２０００における制御部は、第１スイッチング素子と第４スイッチング素子との内でオン時点ＴｏｎＡにてオフからオンに切り替えられたスイッチング素子を、第２期間に続く二次巻線の電圧が正である第３期間におけるオン時点ＴｏｎＣにおいて、オフからオンに切り替える。
【０３１３】
このとき、実施の形態３における電力変換装置２０００における制御部は、オン時点ＴｏｎＡとオン時点ＴｏｎＢとの間、もしくは、オン時点ＴｏｎＢとオン時点ＴｏｎＣとの間の内の少なくともいずれか一方において、スイッチング素子Ｓａがオン状態である循環期間Ｔｘを生成する。
【０３１４】
以上の構成によれば、リアクトルの充放電時（循環期間）における、導通損失を低減することができる。これにより、電力変換装置における損失を低減し、高効率化を実現できる。
【０３１５】
また、実施の形態３における電力変換装置２０００における制御部は、オン時点ＴｏｎＡとオン時点ＴｏｎＢとの間、および、オン時点ＴｏｎＢとオン時点ＴｏｎＣとの間の両方において、循環期間Ｔｘを生成してもよい。
【０３１６】
以上の構成によれば、スイッチング素子Ｓａを利用した循環期間Ｔｘの生成機会が多くなる。これにより、リアクトルの充放電時（循環期間）における、導通損失をより低減することができる。
【０３１７】
また、実施の形態３における電力変換装置２０００における制御部は、循環期間Ｔｘにおいて、スイッチング素子Ｓａがオン状態である期間では、第１スイッチング素子と第２スイッチング素子と第３スイッチング素子と第４スイッチング素子とを、オフ状態としてもよい。
【０３１８】
以上の構成によれば、スイッチング素子Ｓａを利用した循環期間Ｔｘにおいて、第１〜第４スイッチング素子を電流が通過しない。これにより、リアクトルの充放電時（循環期間）における、導通損失をより低減することができる。
【０３１９】
なお、実施の形態３における電力変換装置２０００は、第５スイッチング素子Ｓ９と、第６スイッチング素子Ｓ１０と、第７スイッチング素子Ｓ１１と、第８スイッチング素子Ｓ１２と、を備えていてもよい。
【０３２０】
第５スイッチング素子Ｓ９は、接続部の第１端と二次巻線の第１端との間に、第１スイッチング素子Ｓ５と並列に挿入される。第５スイッチング素子Ｓ９は、電流を流す方向が第１スイッチング素子Ｓ５と逆方向である。
【０３２１】
第６スイッチング素子Ｓ１０は、接続部の第２端と二次巻線の第１端との間に、第２スイッチング素子Ｓ６と並列に挿入される。第６スイッチング素子Ｓ１０は、電流を流す方向が第２スイッチング素子Ｓ６と逆方向である。
【０３２２】
第７スイッチング素子Ｓ１１は、接続部の第１端と二次巻線の第２端との間に、第３スイッチング素子Ｓ７と並列に挿入される。第７スイッチング素子Ｓ１１は、電流を流す方向が第３スイッチング素子Ｓ７と逆方向である。
【０３２３】
第８スイッチング素子Ｓ１２は、接続部の第２端と二次巻線の第２端との間に、第４スイッチング素子Ｓ８と並列に挿入される。第８スイッチング素子Ｓ１２は、電流を流す方向が第４スイッチング素子Ｓ８と逆方向である。
【０３２４】
このとき、実施の形態３における電力変換装置２０００の制御部は、接続部から出力される出力電流が負である期間において、第１スイッチング素子Ｓ５に替えて第６スイッチング素子Ｓ１０を制御し、第２スイッチング素子Ｓ６に替えて第５スイッチング素子Ｓ９を制御し、第３スイッチング素子Ｓ７に替えて第８スイッチング素子Ｓ１２を制御し、第４スイッチング素子Ｓ８に替えて第７スイッチング素子Ｓ１１を制御することによって、出力電圧または出力電流の少なくとも一方の振幅を制御してもよい。
【０３２５】
図５０は、実施の形態３における電力変換装置３０００の概略構成を示す図である。
【０３２６】
実施の形態３における電力変換装置３０００は、電力変換装置２０００の構成に加え、さらに、スイッチング素子Ｓｂを備える。
【０３２７】
スイッチング素子Ｓｂは、接続部の第１端と接続部の第２端との間に挿入される。
【０３２８】
スイッチング素子Ｓｂは、電流を流す方向がスイッチング素子Ｓａと逆方向である。
【０３２９】
図５０の構成においては、スイッチング素子Ｓ１４がスイッチング素子Ｓｂに相当する。
【０３３０】
図５０の構成においては、電力変換装置３０００は、スイッチング素子Ｓ１４と直列に接続されるダイオードＤ１４を備える。
【０３３１】
また、図５０の構成においては、電力変換装置３０００は、接続部の第１端（１５ａ）とスイッチング素子Ｓａの第１端との間で、かつ、接続部の第１端（１５ａ）とスイッチング素子Ｓｂの第１端との間に挿入されるリアクトル（コイル２３）を備えている。
【０３３２】
実施の形態３における電力変換装置３０００における制御部は、接続部から出力される出力電流が負である期間における循環期間Ｔｘにおいては、スイッチング素子Ｓａに替えてスイッチング素子Ｓｂをオン状態とする。
【０３３３】
以上の構成によれば、接続部から出力される出力電流が負である期間においても、リアクトルの充放電時（循環期間）における、導通損失を低減することができる。これにより、電力変換装置における損失をさらに低減し、さらなる高効率化を実現できる。
【０３３４】
実施の形態３における電力変換装置３０００における制御部は、循環期間Ｔｘにおいて、スイッチング素子Ｓｂがオン状態である期間では、第５スイッチング素子と第６スイッチング素子と第７スイッチング素子と第８スイッチング素子とを、オフ状態としてもよい。
【０３３５】
以上の構成によれば、スイッチング素子Ｓａを利用した循環期間Ｔｘにおいて、第５〜第８スイッチング素子を電流が通過しない。これにより、リアクトルの充放電時（循環期間）における、導通損失をより低減することができる。
【０３３６】
図５１は、出力電圧と出力電流との極性が同じである電力供給モードにおけるタイムチャートである。
【０３３７】
図５１に示す一例では、制御部は、オン時点ＴｏｎＡとオン時点ＴｏｎＢとの間、および、オン時点ＴｏｎＢとオン時点ＴｏｎＣとの間において、循環期間Ｔｘを生成している。
【０３３８】
図５１に示す一例では、循環期間Ｔｘは、期間Ｔ１および期間Ｔ３が相当する。
【０３３９】
また、図５１に示す一例では、制御部は、循環期間Ｔｘにおいて、スイッチング素子Ｓａ（Ｓ１３）がオン状態である期間では、第１スイッチング素子（Ｓ５）と第２スイッチング素子（Ｓ６）と第３スイッチング素子（Ｓ７）と第４スイッチング素子（Ｓ８）とを、オフ状態としている。
【０３４０】
また、図５１に示す一例では、制御部は、接続部から出力される出力電流が負である期間における循環期間Ｔｘにおいては、スイッチング素子Ｓａ（Ｓ１３）に替えてスイッチング素子Ｓｂ（Ｓ１４）をオン状態とする。
【０３４１】
また、図５１に示す一例では、制御部は、循環期間Ｔｘにおいて、スイッチング素子Ｓｂ（Ｓ１４）がオン状態である期間では、第５スイッチング素子（Ｓ９）と第６スイッチング素子（Ｓ１０）と第７スイッチング素子（Ｓ１１）と第８スイッチング素子（Ｓ１２）とを、オフ状態とする。
【０３４２】
図５２は、循環期間における電流の流れを示す回路図である。
【０３４３】
図５２（ａ）は、例えば、実施の形態１における図５における期間Ｔ１での電流の流れを示している。
【０３４４】
また、実施の形態１において、フィルタ回路１３は、サイクロコンバータ１１の出力と接続部１５との間に挿入されている。フィルタ回路１３は、コイル２３とコンデンサ２５とにより構成され、サイクロコンバータ１１から出力された交流信号を平滑化する。これにより、サイクロコンバータ１１から出力された矩形波の交流信号が、パルス幅に応じた振幅を持つ正弦波状の交流信号に変換される。
【０３４５】
ここで、実施の形態１における動作では、コイル２３に蓄積されたエネルギーを放出する回路動作（図７経路３１、図８経路３３）及び、コイルにエネルギーを充電する回路動作（図９経路３６、図１０経路３８）が行われる。ここで、これらのそれぞれの経路上には、２つのスイッチング素子及び２つのダイオードが存在する。このため、その導通にともなう損失が大きくなるという問題がある。
【０３４６】
すなわち、出力電圧の振幅制御において必要な、平滑コイル２３への充放電時の電流経路上に、通常、ＩＧＢＴまたはＭＯＳなどで構成されるアクティブスイッチとダイオードがそれぞれ２つ存在する。このため、合計４素子を電流が通過する。例えば、実施の形態１における図７の経路３１ではコイル２３の放電経路にダイオードＤ８、スイッチング素子Ｓ８、ダイオードＤ７、スイッチング素子Ｓ７の合計４素子が存在する。これらはスイッチング素子の導通損失の増加を引き起す。この結果、電力変換装置の効率の低下を引き起こす。
【０３４７】
一方、図５２（ｂ）は、例えば、実施の形態３における図５１における期間Ｔ１での電流の流れを示している。
【０３４８】
実施の形態３における構成では、コイル２３の充放電時の電流経路は、スイッチング素子１３もしくはスイッチング素子１４のいずれか１つと、ダイオードＤ１３もしくはダイオードＤ１４のいずれか１つとの、合わせて素子２つとなる。このように、経路上の素子が２つとなるため、導通損失が低減される。
【０３４９】
図５３は、実施の形態３における電力変換装置３０００の別の構成の一例を示す図である。
【０３５０】
スイッチング素子Ｓ１３及びＳ１４としては、ＭＯＳＦＥＴまたはダイオード内蔵ＩＧＢＴが使用されてもよい。この場合、図５３のように、スイッチング素子を直列配置してもよい。これにより、追加する経路規模を小さくすることができる。
【０３５１】
なお、スイッチング素子Ｓ１３及びＳ１４は、双方向スイッチング素子等で構成されてもよい。
【０３５２】
なお、スイッチング素子Ｓ１３及びＳ１４の制御においては、既存の制御信号の論理合成で生成してもよい。
【０３５３】
すなわち、スイッチング素子Ｓ１３の制御信号は、スイッチング素子Ｓ８とスイッチング素子Ｓ７のそれぞれの制御信号の積集合で構成してもよい。
【０３５４】
また、スイッチング素子Ｓ１４の制御信号は、スイッチング素子Ｓ１１とスイッチング素子Ｓ１２のそれぞれの制御信号の積集合で構成してもよい。
【０３５５】
以上によれば、スイッチング素子Ｓ１３及びＳ１４に専用の制御信号生成する構成を新たに設けることを不要にできる。
【０３５６】
すなわち、実施の形態３における電力変換装置における制御部は、循環期間Ｔｘにおいて、第３スイッチング素子に与える制御信号と第４スイッチング素子に与える制御信号との積集合である制御信号を、スイッチング素子Ｓａに与えてもよい。
【０３５７】
以上の構成によれば、簡易な構成で、スイッチング素子Ｓａの制御を行うことができる。
【０３５８】
また、実施の形態３における電力変換装置における制御部は、循環期間Ｔｘにおいて、第７スイッチング素子に与える制御信号と第８スイッチング素子に与える制御信号との積集合である制御信号を、スイッチング素子Ｓｂに与えてもよい。
【０３５９】
以上の構成によれば、簡易な構成で、スイッチング素子Ｓｂの制御を行うことができる。
【０３６０】
（実施の形態４）
以下、実施の形態４における電力変換装置の構成が、説明される。なお、上述の実施の形態１〜３と重複する説明は、適宜、省略される。
【０３６１】
図５４は、図３に示す期間Ｔ１０での電力供給モードの実施の形態４におけるタイムチャートである。
【０３６２】
図５５は、図４に示す期間Ｔ１２での電力回生モードの実施の形態４におけるタイムチャートである。
【０３６３】
実施の形態４における電力変換装置は、図１に示されるように、第１〜第８スイッチング素子Ｓ５〜Ｓ１２を備える。
【０３６４】
このとき、実施の形態４における電力変換装置においては、制御部は、二次巻線の電圧が正である第１期間において、第５スイッチング素子Ｓ９と第８スイッチング素子Ｓ１２との両方がオン状態である期間を生成する。
【０３６５】
また、実施の形態４における電力変換装置においては、制御部は、二次巻線の電圧が負である第２期間において、第６スイッチング素子Ｓ１０と第７スイッチング素子Ｓ１１との両方がオン状態である期間を生成する。
【０３６６】
実施の形態１〜３におけるスイッチング素子の動作シーケンスでは、系統側の不測の故障等で発生する戻り電流を処理できない。一方で、実施の形態４におけるスイッチング素子の動作シーケンスであれば、系統側の不測の故障等による戻り電流の経路を、常に確保することができる。
【０３６７】
なお、図５４および図５５などの図において、例えば、「Ｓ５（Ｓ１０）」との記載は、正群コンバータ動作時にはＳ５がスイッチングされ、負群コンバータ動作時にはＳ１０がスイッチングされることを意味する。他のスイッチング素子についても、同様の表記がなされている。
【０３６８】
（実施の形態５）
以下、実施の形態５における電力変換装置の構成が、説明される。なお、上述の実施の形態１〜４と重複する説明は、適宜、省略される。
【０３６９】
図５６は、実施の形態５における電力変換装置の回路図である。
【０３７０】
図５７は、図３に示す期間Ｔ１０での電力供給モードの実施の形態５におけるタイムチャートである。
【０３７１】
図５８は、図４に示す期間Ｔ１２での電力回生モードの実施の形態５におけるタイムチャートである。
【０３７２】
実施の形態５における電力変換装置においては、スイッチング素子は、電界効果トランジスタ（Ｆｉｅｌｄ  Ｅｆｆｅｃｔ  Ｔｒａｎｓｉｓｔｏｒ）である。
【０３７３】
実施の形態５における電力変換装置においては、第１スイッチング素子Ｓ５のドレイン端子と第５スイッチング素子Ｓ９のドレイン端子とが、接続されている。また、第２スイッチング素子Ｓ６のドレイン端子と第６スイッチング素子Ｓ１０のドレイン端子とが、接続されている。また、第３スイッチング素子Ｓ７のドレイン端子と第７スイッチング素子Ｓ１１のドレイン端子とが、接続されている。また、第４スイッチング素子Ｓ８のドレイン端子と第８スイッチング素子Ｓ１２のドレイン端子とが、接続されている。
【０３７４】
なお、上述の実施の形態１〜５として示された構成のそれぞれは、適宜、互いに、組み合わされてもよい。
【産業上の利用可能性】
【０３７５】
本開示は、例えば、定置用蓄電池のパワーコンディショナー、または、ＥＶ／ＰＨＶ用のＶ２Ｈ（Ｖｅｈｉｃｌｅ  ｔｏ  Ｈｏｍｅ）パワーコンディショナーに利用することができる。
【符号の説明】
【０３７６】
１，１ａ，１ｂ，１ｃ  電力変換装置
３  接続部
５  インバータ回路
７  制御部
９  トランス
１１  サイクロコンバータ
１３  フィルタ回路
１５  接続部
１７  直流電源
１９  一次巻線
２１  二次巻線
２３  コイル（交流用リアクトル）
２７  商用電力系統
２９  負荷
８１  チョッパ回路
Ｖ１  トランス電圧（二次巻線２１の電圧）
Ｓ５  第１スイッチング素子
Ｓ６  第２スイッチング素子
Ｓ７  第３スイッチング素子
Ｓ８  第４スイッチング素子
Ｓ９  第５スイッチング素子
Ｓ１０  第６スイッチング素子
Ｓ１１  第７スイッチング素子
Ｓ１２  第８スイッチング素子
Ｔｏｎ１  第１オン時点
Ｔｏｎ２  第２オン時点
Ｔｏｎ３  第３オン時点
Ｔｏｎ４  第４オン時点
Ｔｏｎ５  第５オン時点
Ｔｏｎ６  第６オン時点
Ｔｏｎ７  第７オン時点
Ｔｏｎ８  第８オン時点
Ｔｏｆｆ１  第１オフ時点
Ｔｏｆｆ２  第２オフ時点
Ｔｏｆｆ３  第３オフ時点
Ｔｏｆｆ４  第４オフ時点
Ｔｏｆｆ５  第５オフ時点
Ｔｏｆｆ６  第６オフ時点
Ｔｏｆｆ７  第７オフ時点
Ｔｏｆｆ８  第８オフ時点
Ｄ５  第１ダイオード
Ｄ６  第２ダイオード
Ｄ７  第３ダイオード
Ｄ８  第４ダイオード
Ｄ９  第５ダイオード
Ｄ１０  第６ダイオード
Ｄ１１  第７ダイオード
Ｄ１２  第８ダイオード
【図１】
0006660579.tif 000002
【図２】
0006660579.tif 000003
【図３】
0006660579.tif 000004
【図４】
0006660579.tif 000005
【図５】
0006660579.tif 000006
【図６】
0006660579.tif 000007
【図７】
0006660579.tif 000008
【図８】
0006660579.tif 000009
【図９】
0006660579.tif 000010
【図１０】
0006660579.tif 000011
【図１１】
0006660579.tif 000012
【図１２】
0006660579.tif 000013
【図１３】
0006660579.tif 000014
【図１４】
0006660579.tif 000015
【図１５】
0006660579.tif 000016
【図１６】
0006660579.tif 000017
【図１７】
0006660579.tif 000018
【図１８】
0006660579.tif 000019
【図１９】
0006660579.tif 000020
【図２０】
0006660579.tif 000021
【図２１】
0006660579.tif 000022
【図２２】
0006660579.tif 000023
【図２３】
0006660579.tif 000024
【図２４】
0006660579.tif 000025
【図２５】
0006660579.tif 000026
【図２６】
0006660579.tif 000027
【図２７】
0006660579.tif 000028
【図２８】
0006660579.tif 000029
【図２９】
0006660579.tif 000030
【図３０】
0006660579.tif 000031
【図３１】
0006660579.tif 000032
【図３２】
0006660579.tif 000033
【図３３】
0006660579.tif 000034
【図３４】
0006660579.tif 000035
【図３５】
0006660579.tif 000036
【図３６】
0006660579.tif 000037
【図３７】
0006660579.tif 000038
【図３８】
0006660579.tif 000039
【図３９】
0006660579.tif 000040
【図４０】
0006660579.tif 000041
【図４１】
0006660579.tif 000042
【図４２】
0006660579.tif 000043
【図４３】
0006660579.tif 000044
【図４４】
0006660579.tif 000045
【図４５】
0006660579.tif 000046
【図４６】
0006660579.tif 000047
【図４７】
0006660579.tif 000048
【図４８】
0006660579.tif 000049
【図４９】
0006660579.tif 000050
【図５０】
0006660579.tif 000051
【図５１】
0006660579.tif 000052
【図５２】
0006660579.tif 000053
【図５３】
0006660579.tif 000054
【図５４】
0006660579.tif 000055
【図５５】
0006660579.tif 000056
【図５６】
0006660579.tif 000057
【図５７】
0006660579.tif 000058
【図５８】
0006660579.tif 000059